(57)【要約】【課題】ＲＡＣＨプロシージャのレイテンシーの削減と安定性とを両立させることが可能な仕組みを提案する。【解決手段】ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、を備える端末装置。【選択図】図１５
2019064768.tif 000002
【特許請求の範囲】
【請求項１】
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、
を備える端末装置。
【請求項２】
前記選択部は、前記端末装置のＲＲＣ状態に基づいて、前記第１の上りリンクメッセージ又は前記第２の上りリンクメッセージのいずれを前記基地局装置に送信するかを選択する、請求項１に記載の端末装置。
【請求項３】
前記選択部は、前記端末装置のＲＲＣ状態がアイドルモードである場合に前記第２の上りリンクメッセージを選択し、前記端末装置のＲＲＣ状態が非アクティブモード又は接続モードである場合に前記第１の上りリンクメッセージを選択する、請求項２に記載の端末装置。
【請求項４】
前記選択部は、まず前記第１の上りリンクメッセージを選択し、２ステップＲＡＣＨプロシージャに失敗した場合に、前記第２の上りメッセージを選択する、請求項１に記載の端末装置。
【請求項５】
前記選択部は、前記第１の上りリンクメッセージの送信回数が所定の閾値を超えても２ステップＲＡＣＨプロシージャに失敗する場合に、前記第２の上りメッセージを選択する、請求項４に記載の端末装置。
【請求項６】
前記選択部は、前記第１の上りリンクメッセージに対応する２ステップＲＡＣＨプロシージャの第１の下りリンクメッセージを前記基地局装置から受信しないことを、前記２ステップＲＡＣＨプロシージャの失敗として認識する、請求項４に記載の端末装置。
【請求項７】
前記選択部は、４ステップＲＡＣＨプロシージャへの切り替えを指示する情報を前記基地局装置から受信したことを、前記２ステップＲＡＣＨプロシージャの失敗として認識する、請求項４に記載の端末装置。
【請求項８】
前記選択部は、ＲＡＣＨプロシージャが行われるセルに基づいて、前記第１の上りリンクメッセージ又は前記第２の上りリンクメッセージのいずれを前記基地局装置に送信するか選択する、請求項１に記載の端末装置。
【請求項９】
前記選択部は、ＲＡＣＨプロシージャの用途に応じて、前記第１の上りリンクメッセージ又は前記第２の上りリンクメッセージのいずれを前記基地局装置に送信するかを選択する、請求項１に記載の端末装置。
【請求項１０】
前記選択部は、前記第１の上りリンクメッセージのフォーマットを選択する、請求項１に記載の端末装置。
【請求項１１】
前記第１の上りリンクメッセージに含まれる情報と前記第２の上りリンクメッセージに含まれる情報とは異なる、請求項１に記載の端末装置。
【請求項１２】
前記第１の上りリンクメッセージのフォーマットと第２の上りリンクメッセージのフォーマットとは異なる、請求項１に記載の端末装置。
【請求項１３】
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、
を備える基地局装置。
【請求項１４】
前記設定部は、前記第１の上りリンクメッセージのフォーマットを前記端末装置が選択するための第２の選択基準を前記端末装置に設定する、請求項１３に記載の基地局装置。
【請求項１５】
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択すること、
を含むプロセッサにより実行される方法。
【請求項１６】
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定すること、
を含むプロセッサにより実行される方法。
【請求項１７】
コンピュータを、
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、
として機能させるためのプログラムが記録された記録媒体。
【請求項１８】
コンピュータを、
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、
として機能させるためのプログラムが記録された記録媒体。
【発明の詳細な説明】
【技術分野】
【０００１】
本開示は、端末装置、基地局装置、方法及び記録媒体に関する。
【背景技術】
【０００２】
セルラー移動通信の無線アクセス方式及び無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、５Ｇ、「Evolved  Universal  Terrestrial  Radio  Access（EUTRA）」、又は「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、及びEUTRAを含み、ＮＲは、NRAT、及びFEUTRAを含む。ＬＴＥでは基地局装置（基地局）はｅＮｏｄｅＢ（evolved  NodeB）、ＮＲでは基地局装置（基地局）はｇＮｏｄｅＢ、ＬＴＥ及びＮＲでは端末装置（移動局、移動局装置、端末）はＵＥ（User  Equipment）とも称する。ＬＴＥ及びＮＲは、基地局装置がカバーするエリアをセル状に複数配置するセルラー通信システムである。単一の基地局装置は複数のセルを管理してもよい。【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）及びＵＲＬＬＣ（Ultra  reliable  and  low  latency  communications）を含む様々なユースケースに対応できるアクセス技術である。ＮＲは、それらのユースケースにおける利用シナリオ、要求条件、及び配置シナリオなどに対応する技術フレームワークを目指して検討される。【０００４】
ＮＲでは、セルの初期接続や上りリンク同期の調整などの用途にランダムアクセスプロシージャ（ＲＡＣＨプロシージャ）が適用される。通常のＲＡＣＨプロシージャは端末装置から始まる４回のやり取りによって構成される。この通常のＲＡＣＨプロシージャを４ステップＲＡＣＨプロシージャとも呼称される。一方で、４ステップＲＡＣＨプロシージャはレイテンシーが課題となっている。メッセージの衝突やチャネル状態の変化などの要因でＲＡＣＨプロシージャが失敗し、ＲＡＣＨプロシージャを完了させることが困難となる。この問題を解決するために、２回のやり取りのみでＲＡＣＨプロシージャを完了させる２ステップＲＡＣＨプロシージャが検討されている。２ステップＲＡＣＨプロシージャの詳細は、非特許文献１に開示されている。
【先行技術文献】
【非特許文献】
【０００５】
【非特許文献１】Sony,  “Discussions  on  2  Steps  RACH  Procedure,”  R1-1700668,  3GPP  TSG  RAN  WG1  Meeting  AH_NR  meeting,  Spokane,  USA,  January,  2017
【発明の概要】
【発明が解決しようとする課題】
【０００６】
２ステップＲＡＣＨプロシージャは、少ないステップによってプロシージャを完了させるため、レイテンシーが削減される一方で、安定性が低下し得る。【０００７】
そこで、本開示では、ＲＡＣＨプロシージャのレイテンシーの削減と安定性とを両立させることが可能な仕組みを提案する。
【課題を解決するための手段】
【０００８】
本開示によれば、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、を備える端末装置が提供される。【０００９】
また、本開示によれば、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、を備える基地局装置が提供される。【００１０】
また、本開示によれば、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択すること、を含むプロセッサにより実行される方法が提供される。【００１１】
また、本開示によれば、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定すること、を含むプロセッサにより実行される方法が提供される。【００１２】
また、本開示によれば、コンピュータを、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、として機能させるためのプログラムが記録された記録媒体が提供される。【００１３】
また、本開示によれば、コンピュータを、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、として機能させるためのプログラムが記録された記録媒体が提供される。
【発明の効果】
【００１４】
以上説明したように本開示によれば、ＲＡＣＨプロシージャのレイテンシーの削減と安定性とを両立させることが可能な仕組みが提供される。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１５】
【図１】本実施形態に係るコンポーネントキャリアの設定の一例を示す図である。
【図２】本実施形態に係るコンポーネントキャリアの設定の一例を示す図である。
【図３】本実施形態に係るＮＲの下りリンクサブフレームの一例を示す図である。
【図４】本実施形態に係るＮＲの上りリンクサブフレームの一例を示す図である。
【図５】本実施形態に係る基地局装置の構成を示す概略ブロック図である。
【図６】本実施形態に係る端末装置の構成を示す概略ブロック図である。
【図７】本実施形態に係る端末装置の初期接続プロシージャの一例を示すフローチャートである。
【図８】本実施形態に係る同期信号ブロックの構成の一例を示す図である。
【図９】本実施形態に係る同期信号バースト及び同期信号バーストセットの構成の一例を示す図である。
【図１０】本実施形態に係る衝突ベースＲＡＣＨプロシージャの流れの一例を示すシーケンス図である。
【図１１】本実施形態に係る非衝突ＲＡＣＨプロシージャの流れの一例を示すシーケンス図である。
【図１２】本実施形態に係る基地局装置の機能構成の一例を説明するための図である。
【図１３】本実施形態に係る端末装置の機能構成の一例を説明するための図である。
【図１４】本実施形態に係る２ステップＲＡＣＨプロシージャの流れの一例を示すシーケンス図である。
【図１５】本実施系形態に係る端末装置により実行される切り替え処理の流れの一例を示すフローチャートである。
【図１６】ｅＮＢの概略的な構成の第１の例を示すブロック図である。
【図１７】ｅＮＢの概略的な構成の第２の例を示すブロック図である。
【図１８】スマートフォンの概略的な構成の一例を示すブロック図である。
【図１９】カーナビゲーション装置の概略的な構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、及びその他全ての記載は、ＬＴＥ及びＮＲに適用できる。
【００１７】
また、以下の説明では、ＮＲに特有の用語について特に言及する場合に、用語の先頭に「ＮＲ−」を付す場合がある。例えば、ＮＲに特有のＰＲＡＣＨ（Physical  Random  Access  Channel）は、ＮＲ−ＰＲＡＣＨと表記され得る。一方で、先頭に「ＮＲ−」が付されていない用語は、ＮＲに特有の用語として捉えられてもよいし、ＮＲに特有でない用語（例えば、ＬＴＥの用語）として捉えられてもよい。例えば、「ＰＲＡＣＨ」は、ＮＲ−ＰＲＡＣＨとして捉えられてもよいし、ＬＴＥのＰＲＡＣＨとして捉えられてもよい。
【００１８】
なお、説明は以下の順序で行うものとする。
１．はじめに
２．技術的課題
３．技術的特徴
４．応用例
５．まとめ
【００１９】
＜＜１．はじめに＞＞
＜本実施形態に係る無線通信システム＞
本実施形態において、無線通信システムは、基地局装置１００及び端末装置２００を少なくとも具備する。基地局装置１００は複数の端末装置２００を収容できる。基地局装置１００は、他の基地局装置１００とＸ２インタフェースの手段によって互いに接続できる。また、基地局装置１００は、Ｓ１インタフェースの手段によってＥＰＣ（Evolved  Packet  Core）に接続できる。さらに、基地局装置１００は、Ｓ１−ＭＭＥインタフェースの手段によってＭＭＥ（Mobility  Management  Entity）に接続でき、Ｓ１−Ｕインタフェースの手段によってＳ−ＧＷ（Serving  Gateway）に接続できる。Ｓ１インタフェースは、ＭＭＥ及び／又はＳ−ＧＷと基地局装置１００との間で、多対多の接続をサポートしている。また、本実施形態において、基地局装置１００及び端末装置２００は、それぞれＬＴＥ及び／又はＮＲをサポートする。
【００２０】
＜本実施形態に係る無線アクセス技術＞
本実施形態において、基地局装置１００及び端末装置２００は、それぞれ１つ以上の無線アクセス技術（ＲＡＴ）をサポートする。例えば、ＲＡＴは、ＬＴＥ及びＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、及び／又は、サイドリンクの組み合わせである。また、以下の説明において、ＬＴＥに対応するセルはＬＴＥセルと呼称され、ＮＲに対応するセルはＮＲセルと呼称される。
【００２１】
下りリンクの通信は、基地局装置１００から端末装置２００に対する通信である。下りリンク送信は、基地局装置１００から端末装置２００に対する送信であり、下りリンク物理チャネル及び／又は下りリンク物理信号の送信である。上りリンクの通信は、端末装置２００から基地局装置１００に対する通信である。上りリンク送信は、端末装置２００から基地局装置１００に対する送信であり、上りリンク物理チャネル及び／又は上りリンク物理信号の送信である。サイドリンクの通信は、端末装置２００から別の端末装置２００に対する通信である。サイドリンク送信は、端末装置２００から別の端末装置２００に対する送信であり、サイドリンク物理チャネル及び／又はサイドリンク物理信号の送信である。
【００２２】
サイドリンクの通信は、端末装置２００間の近接直接検出及び近接直接通信のために定義される。サイドリンクの通信は、上りリンク及び下りリンクと同様なフレーム構成を用いることができる。また、サイドリンクの通信は、上りリンクリソース及び／又は下りリンクリソースの一部（サブセット）に制限されうる。
【００２３】
基地局装置１００及び端末装置２００は、下りリンク、上りリンク及び／又はサイドリンクにおいて、１つ以上のセルの集合を用いる通信をサポートできる。複数のセルの集合又は複数のセルの集合による通信は、キャリアアグリゲーション又はデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値及び設定可能な値は、予め規定できる。
【００２４】
図１は、本実施形態に係るコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセル及びセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２５】
図２は、本実施形態に係るコンポーネントキャリアの設定の一例を示す図である。図２の例では、２つのＮＲセルが設定される。２つのＮＲセルは、それぞれプライマリーセル及びセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２６】
＜本実施形態に係る無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２７】
＜本実施形態に係るＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号及び上りリンク信号は、それぞれ所定の時間長において、１つ以上の所定のパラメータを用いて生成される。換言すると、端末装置２００は、基地局装置１００から送信される下りリンク信号、及び、基地局装置１００に送信する上りリンク信号が、それぞれ所定の時間長において、１つ以上の所定のパラメータで生成される、と想定する。また、基地局装置１００は、端末装置２００に送信する下りリンク信号、及び、端末装置２００から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）及び／又はＳＤＭ（Spatial  Division  Multiplexing）などを含む。
【００２８】
図３は、本実施形態に係るＮＲの下りリンクサブフレームの一例を示す図である。図３の例では、パラメータセット１、パラメータセット０及びパラメータセット２を用いて生成される信号が、セル（システム帯域幅）において、ＦＤＭされる。図３に示される図は、ＮＲの下りリンクリソースグリッドとも呼称される。基地局装置１００は、端末装置２００への下りリンクサブフレームにおいて、ＮＲの下りリンク物理チャネル及び／又はＮＲの下りリンク物理信号を送信できる。端末装置２００は、基地局装置１００からの下りリンクサブフレームにおいて、ＮＲの下りリンク物理チャネル及び／又はＮＲの下りリンク物理信号を受信できる。
【００２９】
図４は、本実施形態に係るＮＲの上りリンクサブフレームの一例を示す図である。図４の例では、パラメータセット１、パラメータセット０及びパラメータセット２を用いて生成される信号が、セル（システム帯域幅）において、ＦＤＭされる。図４に示される図は、ＮＲの上りリンクリソースグリッドとも呼称される。基地局装置１００は、端末装置２００への上りリンクサブフレームにおいて、ＮＲの上りリンク物理チャネル及び／又はＮＲの上りリンク物理信号を送信できる。端末装置２００は、基地局装置１００からの上りリンクサブフレームにおいて、ＮＲの上りリンク物理チャネル及び／又はＮＲの上りリンク物理信号を受信できる。
【００３０】
本実施形態において、物理リソースは以下のように定義されうる。１つのスロットは複数のシンボルによって定義される。スロットのそれぞれにおいて送信される物理信号又は物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＯＦＤＭシンボル又はＳＣ−ＦＤＭＡシンボルによって定義される。サブキャリア又はリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰ又は拡張ＣＰである。ノーマルＣＰにおいて、１つのスロットを構成するＯＦＤＭシンボル又はＳＣ−ＦＤＭＡシンボルの数は７である。拡張ＣＰにおいて、１つのスロットを構成するＯＦＤＭシンボル又はＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボル又はＳＣ−ＦＤＭＡシンボルは単にシンボルとも呼称される。
【００３１】
リソースブロックは、ある物理チャネル（ＰＤＳＣＨ又はＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数及びサブキャリア数は、そのセルにおけるＣＰのタイプ、サブキャリア間隔及び／又は上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３２】
＜本実施形態に係る下りリンク物理チャネル＞
ＰＢＣＨは、基地局装置１００のサービングセルに固有の報知情報であるＭＩＢ（Master  Information  Block）を報知するために用いられる。ＳＦＮは無線フレームの番号（システムフレーム番号）である。ＭＩＢはシステム情報である。例えば、ＭＩＢは、ＳＦＮを示す情報を含む。
【００３３】
ＰＤＣＣＨ及びＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）及び上りリンクグラント（uplink  grant）を含む。下りリンクグラントは、下りリンクアサインメント（downlink  assignment）又は下りリンク割り当て（downlink  allocation）とも称する。
【００３４】
ＰＤＣＣＨは、連続する１つ又は複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００３５】
ＥＰＤＣＣＨは、連続する１つ又は複数のＥＣＣＥ（Enhanced  Control  Channel  Element）の集合によって送信される。ＥＣＣＥは、複数のＥＲＥＧ（Enhanced  Resource  Element  Group）で構成される。
【００３６】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００３７】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定又は設定できる識別子である。ＲＮＴＩは、仕様で予め規定される識別子、セルに固有の情報として設定される識別子、端末装置２００に固有の情報として設定される識別子、又は、端末装置２００に属するグループに固有の情報として設定される識別子である。例えば、端末装置２００は、ＰＤＣＣＨ又はＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２００のためのＤＣＩであることが分かる。
【００３８】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００３９】
ＰＤＣＣＨ領域において、複数のＰＤＣＣＨが周波数、時間、及び／又は、空間多重されてもよい。ＥＰＤＣＣＨ領域において、複数のＥＰＤＣＣＨが周波数、時間、及び／又は、空間多重されてもよい。ＰＤＳＣＨ領域において、複数のＰＤＳＣＨが周波数、時間、及び／又は、空間多重されてもよい。ＰＤＣＣＨ、ＰＤＳＣＨ及び／又はＥＰＤＣＣＨは周波数、時間、及び／又は、空間多重されてもよい。
【００４０】
＜本実施形態に係る下りリンク物理信号＞
同期信号は、端末装置２００が下りリンクの周波数領域及び／又は時間領域の同期をとるために用いられる。同期信号は、ＰＳＳ（Primary  Synchronization  Signal）及びＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、及び６に配置される。ＦＤＤ方式において、同期信号は無線フレーム内のサブフレーム０及び５に配置される。
【００４１】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００４２】
下りリンク参照信号は、端末装置２００が下りリンク物理チャネルの伝搬路推定、伝搬路補正、下りリンクのＣＳＩ（Channel  State  Information、チャネル状態情報）の算出、及び／又は、端末装置２００のポジショニングの測定を行うために用いられる。
【００４３】
ＰＤＳＣＨに関連するＵＲＳは、ＵＲＳが関連するＰＤＳＣＨの送信に用いられるサブフレーム及び帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つ又は複数で送信される。
【００４４】
ＰＤＳＣＨは、送信モード及びＤＣＩフォーマットに基づいて、ＣＲＳ又はＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００４５】
ＥＰＤＣＣＨに関連するＤＭＲＳは、ＤＭＲＳが関連するＥＰＤＣＣＨの送信に用いられるサブフレーム及び帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つ又は複数で送信される。
【００４６】
ＣＳＩ−ＲＳは、設定されたサブフレームで送信される。ＣＳＩ−ＲＳが送信されるリソースは、基地局装置１００によって設定される。ＣＳＩ−ＲＳは、端末装置２００が下りリンクのチャネル状態情報を算出するために用いられる。端末装置２００は、ＣＳＩ−ＲＳを用いて信号測定（チャネル測定）を行う。ＣＳＩ−ＲＳは、１、２、４、８、１２、１６、２４及び３２の一部又は全部のアンテナポートの設定をサポートする。ＣＳＩ−ＲＳは、アンテナポート１５〜４６の１つ又は複数で送信される。なお、サポートされるアンテナポートは、端末装置２００の端末装置２００ケイパビリティ、ＲＲＣパラメータの設定、及び／又は設定される送信モードなどに基づいて決定されてもよい。
【００４７】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨ及びＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００４８】
＜本実施形態に係る上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、又は、応答情報とも称される。また、下りリンクデータに対するＨＡＲＱ−ＡＣＫは、ＡＣＫ、ＮＡＣＫ、又はＤＴＸを示す。
【００４９】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫ及び／又はチャネル状態情報を送信するために用いられてもよい。また、ＰＵＳＣＨは、チャネル状態情報のみ、又は、ＨＡＲＱ−ＡＣＫ及びチャネル状態情報のみを送信するために用いられてもよい。
【００５０】
ＰＲＡＣＨは、ランダムアクセスプリアンブルを送信するために用いられる物理チャネルである。ランダムアクセスプリアンブルは、ＰＲＡＣＨプリアンブルとも称される。ＰＲＡＣＨは、端末装置２００が基地局装置１００と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、及び／又は、ＰＵＳＣＨリソースの要求を示すためにも用いられる。
【００５１】
ＰＵＣＣＨ領域において、複数のＰＵＣＣＨが周波数、時間、空間及び／又はコード多重される。ＰＵＳＣＨ領域において、複数のＰＵＳＣＨが周波数、時間、空間及び／又はコード多重されてもよい。ＰＵＣＣＨ及びＰＵＳＣＨは周波数、時間、空間及び／又はコード多重されてもよい。ＰＲＡＣＨは単一のサブフレーム又は２つのサブフレームにわたって配置されてもよい。複数のＰＲＡＣＨが符号多重されてもよい。
【００５２】
＜本実施形態に係る上りリンク物理信号＞
ＵＬ−ＤＭＲＳは、ＰＵＳＣＨ又はＰＵＣＣＨの送信に関連する。ＵＬ−ＤＭＲＳは、ＰＵＳＣＨ又はＰＵＣＣＨと時間多重される。基地局装置１００は、ＰＵＳＣＨ又はＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００５３】
ＳＲＳは、ＰＵＳＣＨ又はＰＵＣＣＨの送信に関連しない。基地局装置１００は、上りリンクのチャネル状態を測定するためにＳＲＳを用いてもよい。
【００５４】
ＳＲＳは上りリンクサブフレーム内の最後のシンボルを用いて送信される。つまり、ＳＲＳは上りリンクサブフレーム内の最後のシンボルに配置される。端末装置２００は、あるセルのあるシンボルにおいて、ＳＲＳと、ＰＵＣＣＨ、ＰＵＳＣＨ及び／又はＰＲＡＣＨとの同時送信を制限できる。端末装置２００は、あるセルのある上りリンクサブフレームにおいて、その上りリンクサブフレーム内の最後のシンボルを除くシンボルを用いてＰＵＳＣＨ及び／又はＰＵＣＣＨを送信し、その上りリンクサブフレーム内の最後のシンボルを用いてＳＲＳを送信することができる。つまり、あるセルのある上りリンクサブフレームにおいて、端末装置２００は、ＳＲＳと、ＰＵＳＣＨ及びＰＵＣＣＨと、を送信することができる。
【００５５】
ＳＲＳにおいて、トリガータイプの異なるＳＲＳとして、トリガータイプ０ＳＲＳ及びトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、又は４に含まれるＳＲＳリクエストによって送信が要求された場合に送信される。なお、ＳＲＳリクエストは、ＤＣＩフォーマット０、１Ａ、又は４についてはＦＤＤとＴＤＤの両方に含まれ、ＤＣＩフォーマット２Ｂ、２Ｃ、又は２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。トリガータイプ０ＳＲＳは、周期的ＳＲＳとも呼称される。トリガータイプ１ＳＲＳは、非周期的ＳＲＳとも呼称される。
【００５６】
＜本実施形態に係る基地局装置１００の構成例＞
図５は、本実施形態に係る基地局装置１００の構成を示す概略ブロック図である。図示するように、基地局装置１００は、上位層処理部１０１、制御部１０３、受信部１０５、送信部１０７、及び、送受信アンテナ１０９、を含んで構成される。また、受信部１０５は、復号化部１０５１、復調部１０５３、多重分離部１０５５、無線受信部１０５７、及びチャネル測定部１０５９を含んで構成される。また、送信部１０７は、符号化部１０７１、変調部１０７３、多重部１０７５、無線送信部１０７７、及び下りリンク参照信号生成部１０７９を含んで構成される。
【００５７】
既に説明したように、基地局装置１００は、１つ以上のＲＡＴをサポートできる。図５に示す基地局装置１００に含まれる各部の一部又は全部は、ＲＡＴに応じて個別に構成されうる。例えば、受信部１０５及び送信部１０７は、ＬＴＥとＮＲとで個別に構成される。また、ＮＲセルにおいて、図５に示す基地局装置１００に含まれる各部の一部又は全部は、送信信号に関するパラメータセットに応じて個別に構成されうる。例えば、あるＮＲセルにおいて、無線受信部１０５７及び無線送信部１０７７は、送信信号に関するパラメータセットに応じて個別に構成されうる。
【００５８】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、及び送信部１０７の制御を行うために制御情報を生成し、制御部１０３に出力する。
【００５９】
制御部１０３は、上位層処理部１０１からの制御情報に基づいて、受信部１０５及び送信部１０７の制御を行う。制御部１０３は、上位層処理部１０１への制御情報を生成し、上位層処理部１０１に出力する。制御部１０３は、復号化部１０５１からの復号化された信号及びチャネル測定部１０５９からのチャネル推定結果を入力する。制御部１０３は、符号化する信号を符号化部１０７１へ出力する。また、制御部１０３は、基地局装置１００の全体又は一部を制御するために用いられる。
【００６０】
上位層処理部１０１は、ＲＡＴ制御、無線リソース制御、サブフレーム設定、スケジューリング制御、及び／又は、ＣＳＩ報告制御に関する処理及び管理を行う。上位層処理部１０１における処理及び管理は、端末装置２００毎、又は基地局装置１００に接続している端末装置２００共通に行われる。上位層処理部１０１における処理及び管理は、上位層処理部１０１のみで行われてもよいし、上位ノード又は他の基地局装置１００から取得してもよい。また、上位層処理部１０１における処理及び管理は、ＲＡＴに応じて個別に行われてもよい。例えば、上位層処理部１０１は、ＬＴＥにおける処理及び管理と、ＮＲにおける処理及び管理とを個別に行う。
【００６１】
上位層処理部１０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００６２】
上位層処理部１０１における無線リソース制御では、下りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００６３】
上位層処理部１０１におけるサブフレーム設定では、サブフレーム設定、サブフレームパターン設定、上りリンク−下りリンク設定、上りリンク参照ＵＬ−ＤＬ設定、及び／又は、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量及び下りリンクのトラフィック量に基づいて決定できる。また、上位層処理部１０１におけるサブフレーム設定は、上位層処理部１０１におけるスケジューリング制御のスケジューリング結果に基づいて決定できる。
【００６４】
上位層処理部１０１におけるスケジューリング制御では、受信したチャネル状態情報及びチャネル測定部１０５９から入力された伝搬路の推定値やチャネルの品質などに基づいて、物理チャネルを割り当てる周波数及びサブフレーム、物理チャネルの符号化率及び変調方式及び送信電力などが決定される。例えば、制御部１０３は、上位層処理部１０１におけるスケジューリング制御のスケジューリング結果に基づいて、制御情報（ＤＣＩフォーマット）を生成する。
【００６５】
上位層処理部１０１におけるＣＳＩ報告制御では、端末装置２００のＣＳＩ報告が制御される。例えば、端末装置２００においてＣＳＩを算出するために想定するためのＣＳＩ参照リソースに関する設定が制御される。
【００６６】
受信部１０５は、制御部１０３からの制御に従って、送受信アンテナ１０９を介して端末装置２００から送信された信号を受信し、さらに分離、復調、復号などの受信処理を行い、受信処理された情報を制御部１０３に出力する。なお、受信部１０５における受信処理は、あらかじめ規定された設定、又は基地局装置１００が端末装置２００に通知した設定に基づいて行われる。
【００６７】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域信号の抽出を行う。
【００６８】
多重分離部１０５５は、無線受信部１０５７から入力された信号から、ＰＵＣＣＨ又はＰＵＳＣＨなどの上りリンクチャネル及び／又は上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００６９】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離及び復調を行う。
【００７０】
復号化部１０５１は、復調された上りリンクチャネルの符号化ビットに対して、復号処理を行う。復号された上りリンクデータ及び／又は上りリンク制御情報は制御部１０３へ出力される。復号化部１０５１は、ＰＵＳＣＨに対しては、トランスポートブロック毎に復号処理を行う。
【００７１】
チャネル測定部１０５９は、多重分離部１０５５から入力された上りリンク参照信号から伝搬路の推定値及び／又はチャネルの品質などを測定し、多重分離部１０５５及び／又は制御部１０３に出力する。例えば、チャネル測定部１０５９は、ＵＬ−ＤＭＲＳを用いてＰＵＣＣＨ又はＰＵＳＣＨに対する伝搬路補償を行うための伝搬路の推定値を測定し、ＳＲＳを用いて上りリンクにおけるチャネルの品質を測定する。
【００７２】
送信部１０７は、制御部１０３からの制御に従って、上位層処理部１０１から入力された下りリンク制御情報及び下りリンクデータに対して、符号化、変調及び多重などの送信処理を行う。例えば、送信部１０７は、ＰＨＩＣＨ、ＰＤＣＣＨ、ＥＰＤＣＣＨ、ＰＤＳＣＨ、及び下りリンク参照信号を生成及び多重し、送信信号を生成する。なお、送信部１０７における送信処理は、あらかじめ規定された設定、基地局装置１００が端末装置２００に通知した設定、又は、同一のサブフレームで送信されるＰＤＣＣＨ又はＥＰＤＣＣＨを通じて通知される設定に基づいて行われる。
【００７３】
符号化部１０７１は、制御部１０３から入力されたＨＡＲＱインディケータ（ＨＡＲＱ−ＡＣＫ）、下りリンク制御情報、及び下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２００に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００７４】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００７５】
＜本実施形態に係る端末装置２００の構成例＞
図６は、本実施形態に係る端末装置２００の構成を示す概略ブロック図である。図示するように、端末装置２００は、上位層処理部２０１、制御部２０３、受信部２０５、送信部２０７、及び送受信アンテナ２０９を含んで構成される。また、受信部２０５は、復号化部２０５１、復調部２０５３、多重分離部２０５５、無線受信部２０５７、及びチャネル測定部２０５９を含んで構成される。また、送信部２０７は、符号化部２０７１、変調部２０７３、多重部２０７５、無線送信部２０７７、及び上りリンク参照信号生成部２０７９を含んで構成される。
【００７６】
既に説明したように、端末装置２００は、１つ以上のＲＡＴをサポートできる。図６に示す端末装置２００に含まれる各部の一部又は全部は、ＲＡＴに応じて個別に構成されうる。例えば、受信部２０５及び送信部２０７は、ＬＴＥとＮＲとで個別に構成される。また、ＮＲセルにおいて、図６に示す端末装置２００に含まれる各部の一部又は全部は、送信信号に関するパラメータセットに応じて個別に構成されうる。例えば、あるＮＲセルにおいて、無線受信部２０５７及び無線送信部２０７７は、送信信号に関するパラメータセットに応じて個別に構成されうる。
【００７７】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、及び送信部２０７の制御を行うために制御情報を生成し、制御部２０３に出力する。
【００７８】
制御部２０３は、上位層処理部２０１からの制御情報に基づいて、受信部２０５及び送信部２０７の制御を行う。制御部２０３は、上位層処理部２０１への制御情報を生成し、上位層処理部２０１に出力する。制御部２０３は、復号化部２０５１からの復号化された信号及びチャネル測定部２０５９からのチャネル推定結果を入力する。制御部２０３は、符号化する信号を符号化部２０７１へ出力する。また、制御部２０３は、端末装置２００の全体又は一部を制御するために用いられてもよい。
【００７９】
上位層処理部２０１は、ＲＡＴ制御、無線リソース制御、サブフレーム設定、スケジューリング制御、及び／又は、ＣＳＩ報告制御に関する処理及び管理を行う。上位層処理部２０１における処理及び管理は、あらかじめ規定される設定、及び／又は、基地局装置１００から設定又は通知される制御情報に基づく設定に基づいて行われる。例えば、基地局装置１００からの制御情報は、ＲＲＣパラメータ、ＭＡＣ制御エレメント又はＤＣＩを含む。また、上位層処理部２０１における処理及び管理は、ＲＡＴに応じて個別に行われてもよい。例えば、上位層処理部２０１は、ＬＴＥにおける処理及び管理と、ＮＲにおける処理及び管理とを個別に行う。
【００８０】
上位層処理部２０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００８１】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００８２】
上位層処理部２０１におけるサブフレーム設定では、基地局装置１００及び／又は基地局装置１００とは異なる基地局装置１００におけるサブフレーム設定が管理される。サブフレーム設定は、サブフレームに対する上りリンク又は下りリンクの設定、サブフレームパターン設定、上りリンク−下りリンク設定、上りリンク参照ＵＬ−ＤＬ設定、及び／又は、下りリンク参照ＵＬ−ＤＬ設定を含む。なお、上位層処理部２０１におけるサブフレーム設定は、端末サブフレーム設定とも呼称される。
【００８３】
上位層処理部２０１におけるスケジューリング制御では、基地局装置１００からのＤＣＩ（スケジューリング情報）に基づいて、受信部２０５及び送信部２０７に対するスケジューリングに関する制御を行うための制御情報が生成される。
【００８４】
上位層処理部２０１におけるＣＳＩ報告制御では、基地局装置１００に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩ及び／又はＲＲＣパラメータに基づいて、ＣＳＩを報告するために用いられるリソース（タイミング）を制御する。
【００８５】
受信部２０５は、制御部２０３からの制御に従って、送受信アンテナ２０９を介して基地局装置１００から送信された信号を受信し、さらに分離、復調、復号などの受信処理を行い、受信処理された情報を制御部２０３に出力する。なお、受信部２０５における受信処理は、あらかじめ規定された設定、又は基地局装置１００からの通知又は設定に基づいて行われる。
【００８６】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域の信号の抽出を行う。
【００８７】
多重分離部２０５５は、無線受信部２０５７から入力された信号から、ＰＨＩＣＨ、ＰＤＣＣＨ、ＥＰＤＣＣＨ又はＰＤＳＣＨなどの下りリンクチャネル、下りリンク同期信号及び／又は下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【００８８】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離及び復調を行う。
【００８９】
復号化部２０５１は、復調された下りリンクチャネルの符号化ビットに対して、復号処理を行う。復号された下りリンクデータ及び／又は下りリンク制御情報は制御部２０３へ出力される。復号化部２０５１は、ＰＤＳＣＨに対しては、トランスポートブロック毎に復号処理を行う。
【００９０】
チャネル測定部２０５９は、多重分離部２０５５から入力された下りリンク参照信号から伝搬路の推定値及び／又はチャネルの品質などを測定し、多重分離部２０５５及び／又は制御部２０３に出力する。チャネル測定部２０５９が測定に用いる下りリンク参照信号は、少なくともＲＲＣパラメータによって設定される送信モード及び／又は他のＲＲＣパラメータに基づいて決定されてもよい。例えば、ＤＬ−ＤＭＲＳはＰＤＳＣＨ又はＥＰＤＣＣＨに対する伝搬路補償を行うための伝搬路の推定値を測定する。ＣＲＳはＰＤＣＣＨ又はＰＤＳＣＨに対する伝搬路補償を行うための伝搬路の推定値、及び／又は、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳ又は検出信号に基づいて、ＲＳＲＰ（Reference  Signal  Received  Power）及び／又はＲＳＲＱ（Reference  Signal  Received  Quality）を算出し、上位層処理部２０１へ出力する。
【００９１】
送信部２０７は、制御部２０３からの制御に従って、上位層処理部２０１から入力された上りリンク制御情報及び上りリンクデータに対して、符号化、変調及び多重などの送信処理を行う。例えば、送信部２０７は、ＰＵＳＣＨ又はＰＵＣＣＨなどの上りリンクチャネル及び／又は上りリンク参照信号を生成及び多重し、送信信号を生成する。なお、送信部２０７における送信処理は、あらかじめ規定された設定、又は、基地局装置１００から設定又は通知に基づいて行われる。
【００９２】
符号化部２０７１は、制御部２０３から入力されたＨＡＲＱインディケータ（ＨＡＲＱ−ＡＣＫ）、上りリンク制御情報、及び上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２００に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【００９３】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【００９４】
＜本実施形態に係る制御情報のシグナリング＞
基地局装置１００及び端末装置２００は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、及び、ＭＡＣ層を通じたシグナリングであるＭＡＣシグナリングなどを含む。ＲＲＣシグナリングは、端末装置２００に固有の制御情報を通知する専用のＲＲＣシグナリング（Dedicated  RRC  signaling）、又は、基地局装置１００に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【００９５】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）又は上りリンクリンク制御情報（ＵＣＩ：Uplink  Control  Information）をシグナリングすることにより実現される。ＲＲＣパラメータ及びＭＡＣ制御エレメントは、ＰＤＳＣＨ又はＰＵＳＣＨを用いて送信される。ＤＣＩは、ＰＤＣＣＨ又はＥＰＤＣＣＨを用いて送信される。ＵＣＩは、ＰＵＣＣＨ又はＰＵＳＣＨを用いて送信される。ＲＲＣシグナリング及びＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリング又はＰＵＳＣＨのスケジューリングなどのために用いられる。ＵＣＩは、ＣＳＩ報告、ＨＡＲＱ−ＡＣＫ報告、及び／又はスケジューリング要求（ＳＲ：Scheduling  Request）などのために用いられる。
【００９６】
＜本実施形態に係る下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、又は、上りリンク送信電力コマンドを通知する。
【００９７】
端末装置２００がモニタするＤＣＩフォーマットは、サービングセル毎に設定された送信モードによって決まる。すなわち、端末装置２００がモニタするＤＣＩフォーマットの一部は、送信モードによって異なることができる。例えば、下りリンク送信モード１が設定された端末装置２００は、ＤＣＩフォーマット１ＡとＤＣＩフォーマット１をモニタする。例えば、下りリンク送信モード４が設定された端末装置２００は、ＤＣＩフォーマット１ＡとＤＣＩフォーマット２をモニタする。例えば、上りリンク送信モード１が設定された端末装置２００は、ＤＣＩフォーマット０をモニタする。例えば、上りリンク送信モード２が設定された端末装置２００は、ＤＣＩフォーマット０とＤＣＩフォーマット４をモニタする。
【００９８】
端末装置２００に対するＤＣＩを通知するＰＤＣＣＨが配置される制御領域は通知されず、端末装置２００は端末装置２００に対するＤＣＩをブラインドデコーディング（ブラインド検出）により検出する。具体的には、端末装置２００は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２００は、端末装置２００宛に送信される可能性がある全てのアグリゲーションレベル、ＰＤＣＣＨ候補、及び、ＤＣＩフォーマットについてデコードを試みる。端末装置２００は、デコード（検出）が成功したＤＣＩ（ＰＤＣＣＨ）を端末装置２００に対するＤＣＩ（ＰＤＣＣＨ）として認識する。
【００９９】
ＤＣＩに対して、巡回冗長検査（ＣＲＣ:  Cyclic  Redundancy  Check）が付加される。ＣＲＣは、ＤＣＩのエラー検出及びＤＣＩのブラインド検出のために用いられる。ＣＲＣ（ＣＲＣパリティビット）は、ＲＮＴＩ（Radio  Network  Temporary  Identifier）によってスクランブルされる。端末装置２００は、ＲＮＴＩに基づいて、端末装置２００に対するＤＣＩかどうかを検出する。具体的には、端末装置２００は、ＣＲＣに対応するビットに対して、所定のＲＮＴＩでデスクランブルを行い、ＣＲＣを抽出し、対応するＤＣＩが正しいかどうかを検出する。
【０１００】
ＲＮＴＩは、ＤＣＩの目的や用途に応じて規定又は設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、及び、ｅＩＭＴＡ−ＲＮＴＩ、ＣＣ−ＲＮＴＩを含む。
【０１０１】
Ｃ−ＲＮＴＩ及びＳＰＳ  Ｃ−ＲＮＴＩは、基地局装置１００（セル）内において端末装置２００に固有のＲＮＴＩであり、端末装置２００を識別するための識別子である。Ｃ−ＲＮＴＩは、あるサブフレームにおけるＰＤＳＣＨ又はＰＵＳＣＨをスケジューリングするために用いられる。ＳＰＳ  Ｃ−ＲＮＴＩは、ＰＤＳＣＨ又はＰＵＳＣＨのためのリソースの周期的なスケジューリングをアクティベーション又はリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定又は認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１０２】
スケジューリング情報（下りリンクスケジューリング情報、上りリンクスケジューリング情報、サイドリンクスケジューリング情報）は、周波数領域のスケジューリングとして、リソースブロック又はリソースブロックグループを単位にスケジューリングを行うための情報を含む。リソースブロックグループは、連続するリソースブロックのセットであり、スケジューリングされる端末装置２００に対する割り当てられるリソースを示す。リソースブロックグループのサイズは、システム帯域幅に応じて決まる。
【０１０３】
＜本実施形態に係る下りリンク制御チャネルの詳細＞
ＤＣＩはＰＤＣＣＨ又はＥＰＤＣＣＨなどの制御チャネルを用いて送信される。端末装置２００は、ＲＲＣシグナリングによって設定された１つ又は複数のアクティベートされたサービングセルのＰＤＣＣＨ候補のセット及び／又はＥＰＤＣＣＨ候補のセットをモニタする。ここで、モニタリングとは、全てのモニタされるＤＣＩフォーマットに対応するセット内のＰＤＣＣＨ及び／又はＥＰＤＣＣＨのデコードを試みることである。
【０１０４】
ＰＤＣＣＨ候補のセット又はＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１０５】
ＣＳＳ（Common  Search  Space）は、基地局装置１００に固有のパラメータ及び／又は予め規定されたパラメータに基づいて設定されるサーチスペースである。例えば、ＣＳＳは、複数の端末装置２００で共通に用いられるサーチスペースである。そのため、基地局装置１００が複数の端末装置２００で共通の制御チャネルをＣＳＳにマッピングすることにより、制御チャネルを送信するためのリソースが低減される。
【０１０６】
ＵＳＳ（UE-specific  Search  Space）は、少なくとも端末装置２００に固有のパラメータを用いて設定されるサーチスペースである。そのため、ＵＳＳは、端末装置２００に固有のサーチスペースであり、基地局装置１００はＵＳＳによって端末装置２００に固有の制御チャネルを個別に送信することができる。そのため、基地局装置１００は複数の端末装置２００に固有の制御チャネルを効率的にマッピングできる。
【０１０７】
ＵＳＳは、複数の端末装置２００に共通に用いられるように設定されてもよい。複数の端末装置２００に対して共通のＵＳＳが設定されるために、端末装置２００に固有のパラメータは、複数の端末装置２００の間で同じ値になるように設定される。例えば、複数の端末装置２００の間で同じパラメータに設定される単位は、セル、送信点、又は所定の端末装置２００のグループなどである。
【０１０８】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４又は８である。
【０１０９】
ＰＤＣＣＨ候補の数は、少なくともサーチスペース及びアグリゲーションレベルに基づいて決まる。例えば、ＣＳＳにおいて、アグリゲーションレベル４及び８におけるＰＤＣＣＨ候補の数はそれぞれ４及び２である。例えば、ＵＳＳにおいて、アグリゲーション１、２、４及び８におけるＰＤＣＣＨ候補の数はそれぞれ６、６、２及び２である。
【０１１０】
＜本実施形態に係るリソース割り当ての詳細＞
基地局装置１００は、端末装置２００にＰＤＳＣＨ及び／又はＰＵＳＣＨのリソース割り当ての方法として、複数の方法を用いることができる。リソース割り当ての方法は、動的スケジューリング、セミパーシステントスケジューリング、マルチサブフレームスケジューリング、及びクロスサブフレームスケジューリングを含む。
【０１１１】
動的スケジューリングにおいて、１つのＤＣＩは１つのサブフレームにおけるリソース割り当てを行う。具体的には、あるサブフレームにおけるＰＤＣＣＨ又はＥＰＤＣＣＨは、そのサブフレームにおけるＰＤＳＣＨに対するスケジューリングを行う。あるサブフレームにおけるＰＤＣＣＨ又はＥＰＤＣＣＨは、そのサブフレームより後の所定のサブフレームにおけるＰＵＳＣＨに対するスケジューリングを行う。
【０１１２】
＜本実施形態に係るＮＲ端末装置２００の状態＞
ＮＲの端末装置２００は、ＲＲＣアイドル（ＲＲＣ＿ＩＤＬＥ、アイドル状態、アイドルモード、ＲＲＣアイドル状態、ＲＲＣアイドルモード）、ＲＲＣ非アクティブ（ＲＲＣ＿ＩＮＡＣＴＩＶＥ、非アクティブ状態、非アクティブモード、ＲＲＣ非アクティブ状態、ＲＲＣ非アクティブモード）、及び、ＲＲＣ接続（ＲＲＣ＿ＣＯＮＮＥＣＴＥＤ、接続状態、ＲＲＣ接続状態、接続モード、ＲＲＣ接続モード）、の３状態をサポートする。
【０１１３】
ＲＲＣアイドルは、電源投入直後や圏外などセルと接続していない状態である。ＲＲＣアイドルでは、セル再接続モビリティ、コアネットワーク（ＣＮ）によって初期化されたページング、コアネットワークによって管理されたページングエリア、などの機能がサポートされる。
【０１１４】
ＲＲＣ非アクティブは、セルと接続しており情報を提供されているが、ユニキャストデータの送受信などを行えない状態である。ＲＲＣ非アクティブでは、セル再接続モビリティ、端末装置２００に対するコアネットワーク（ＣＮ）とＲＡＮ（Ｒａｄｉｏ  Ａｃｃｅｓｓ  Ｎｅｔｗｏｒｋ）接続の確立、ＵＥ  ＡＳコンテキストの保存、コアネットワーク（ＣＮ）によって初期化されたページング、ＲＡＮによって管理されたＲＡＮベース通知エリア、端末装置２００が所属するＲＡＮベース通知エリアのＲＡＮ側での認識、などの機能をサポートする。
【０１１５】
ＲＲＣ接続は、セルと接続しており、ユニキャストデータの送受信が行える状態である。ＲＲＣ接続では、端末装置２００のＲＲＣ接続、端末装置２００のＡＳコンテキストの保有、端末装置２００が所属するセルのＲＡＮ側での認識、端末装置２００へのユニキャストデータ及び／又は端末装置２００からのユニキャストデータの転送、ネットワーク管理下におけるモビリティ、などの機能をサポートする。
【０１１６】
＜本実施形態に係る初期接続プロシージャ＞
初期接続とは、端末装置２００がいずれのセルにも接続していない状態（アイドル状態）から、いずれかのセルとの接続を確立した状態（接続状態）に遷移する工程である。
【０１１７】
図７は、本実施形態に係る端末装置２００の初期接続プロシージャの一例を示すフローチャートである。図７に示すように、アイドル状態の端末装置２００は、セル選択手続きを行う（ステップＳ１１０）。セル選択手続には、同期信号の検出（ステップＳ１１１）とＰＢＣＨの復号（ステップＳ１１２）の工程が含まれる。端末装置２００は、同期信号の検出に基づいて、セルと下りリンクでの同期を行う。そして、下りリンクの同期確立後、端末装置２００は、ＰＢＣＨの復号を試み、第一のシステム情報を取得する。
【０１１８】
次に、端末装置２００は、ＰＢＣＨに含まれる第一のシステム情報に基づき、第二のシステム情報を取得する（ステップＳ１２０）。
【０１１９】
次に、端末装置２００は、第一のシステム情報及び／又は第二のシステム情報に基づき、ランダムアクセス手続き（ランダムアクセスプロシージャ、ＲＡＣＨ手続き、ＲＡＣＨプロシージャ）を行う（ステップＳ１３０）。ランダムアクセス手続きには、ランダムアクセスプリアンブルの送信（ステップＳ１３１）、ランダムアクセス応答の受信（ステップＳ１３２）、メッセージ３（Message  3）の送信（ステップＳ１３３）、そして衝突解決（Contention  resolution）の受信（ステップＳ１３４）の工程が含まれる。端末装置２００は、先ず、所定のＰＲＡＣＨプリアンブルを選択し、送信を行う。次に、端末装置２００は、送信したＰＲＡＣＨプリアンブルに対応するランダムアクセス応答を含んだＰＤＳＣＨを受信する。次に、端末装置２００は、受信したランダムアクセス応答に含まれた、ランダムアクセスレスポンスグラントによってスケジュールされたリソースを用いてメッセージ３を含むＰＵＳＣＨを送信する。最後に、端末装置２００は、そのＰＵＳＣＨに対応する衝突解決を含んだＰＤＳＣＨを受信する。
【０１２０】
メッセージ３は、ＲＲＣ接続要求のＲＲＣメッセージを含む。衝突解決は、ＲＲＣ接続セットアップのＲＲＣメッセージを含む。端末装置２００は、ＲＲＣ接続セットアップのＲＲＣメッセージを受信した場合、ＲＲＣ接続動作を行い、ＲＲＣアイドル状態からＲＲＣ接続状態に遷移する。ＲＲＣ接続状態に遷移した後、端末装置２００は、ＲＲＣ接続セットアップ完了のＲＲＣメッセージを基地局装置１００に送信する。この一連の動作によって、端末装置２００は、基地局装置１００と接続することができる。
【０１２１】
なお、ランダムアクセスプリアンブルはメッセージ１、ランダムアクセス応答はメッセージ２、衝突解決はメッセージ４、ＲＲＣ接続セットアップ完了のメッセージはメッセージ５とも呼称される。
【０１２２】
ランダムアクセス手続きの全ての工程が完了した後は、端末装置２００は、そのセルと接続されている状態（接続状態）に遷移することができる。
【０１２３】
なお、図７に示したランダムアクセス手続きは、４ステップＲＡＣＨプロシージャとも呼称される。一方で、端末装置２００がランダムアクセスプリアンブルの送信に伴ってＭｅｓｓａｇｅ  ３の送信も行い、基地局装置１００がそれらの応答としてランダムアクセス応答及びＣｏｎｔｅｎｔｉｏｎ  ｒｅｓｏｌｕｔｉｏｎの送信を行うランダムアクセス手続きは、２ステップＲＡＣＨプロシージャと呼称される。
【０１２４】
ランダムアクセスプリアンブルは、ＰＲＡＣＨに関連付けて送信される。ランダムアクセス応答は、ＰＤＳＣＨで送信される。ランダムアクセス応答を含むＰＤＳＣＨは、ＰＤＣＣＨでスケジュールされる。メッセージ３は、ＰＵＳＣＨで送信される。メッセージ３を含むＰＵＳＣＨは、ランダムアクセス応答に含まれる上りリンクグラントによってスケジュールされる。
【０１２５】
＜本実施形態に係るＮＲの同期信号ブロックの詳細＞
ＮＲにおいて、１つのＮＲ−ＰＳＳ、１つのＮＲ−ＳＳＳ、及び／又はＮＲ−ＰＢＣＨが送信される所定のブロック（以下、同期信号ブロックと呼称する。）が定義される。所定の同期信号ブロックの時間インスタンスにおいて、端末装置２００は、ＮＲ−ＳＳ及び／又はＮＲ−ＰＢＣＨが送信されるビームを１つ想定する。１つのＮＲ−ＰＳＳ、１つのＮＲ−ＳＳＳ、及び／又は１つのＮＲ−ＰＢＣＨは、時分割、周波数分割、空間分割、及び／又は符号分割によって同期信号ブロック内に多重される。
【０１２６】
なお、同期信号ブロックの中にＭＲＳ（モビリティＲＳ、Mobility  Reference  Signal）が含まれて構成されてもよい。ＭＲＳは、少なくともＲＲＭ測定のために用いられる。端末装置２００は、ＭＲＳを用いてＲＳＲＰ及び／又はＲＳＲＱを測定する。ＭＲＳは、ＣＳＩ−ＲＳの構成が用いられてもよい。ＭＲＳの系列は、時間インデックスによってスクランブルされてもよい。
【０１２７】
図８は、同期信号ブロックの構成の一例を示す図である。図８では、１つの同期信号ブロックの中に、ＮＲ−ＰＳＳとＮＲ−ＳＳＳとＮＲ−ＰＢＣＨが時分割によって多重されている。端末装置２００は、所定の中心周波数及び所定の帯域幅で送信されると想定して、ＮＲ−ＳＳの検出及びＮＲ−ＰＢＣＨの受信を行う。
【０１２８】
図９は、同期信号バースト及び同期信号バーストセットの構成の一例を示す図である。ＮＲにおいては、図９に示す同期信号バーストが定義される。同期信号バーストは、１つ又は複数の同期信号ブロックで構成される。図９に示した例では、Ｎ個の同期信号ブロックが同期信号バーストと定義されている。同期信号バーストの中の同期信号ブロックのそれぞれは連続してもよい。
【０１２９】
また、ＮＲにおいて、図９に示す同期信号バーストセットが定義される。同期信号バーストセットは、１つ又は複数の同期信号バーストで構成される。図９に示した例では、Ｍ個の同期信号バーストが１つの同期信号バーストセットと定義されている。
【０１３０】
端末装置２００は、同期信号バーストセットが周期的に送信されることを想定し、ＮＲセルとの同期を行う。端末装置２００は、同期信号バーストセットを周期的に送信されると想定して処理を行う。一方で、基地局装置１００は、同期信号バーストセットを所定の時間インスタンスでは送信しなくてもよい。端末装置２００は、初期接続時に、初期周期を想定して同期信号バーストセットの検出を試みる。同期信号バーストセットの周期は、上位層によって設定されてもよい。端末装置２００は、上位層によって設定された場合には、設定された周期の値に上書きしてもよい。
【０１３１】
なお、異なる時間インスタンスで送信される同期信号バーストセットでは、同じアンテナポート及びＴＲＰで送信されなくてもよい。
【０１３２】
なお、同期信号バーストセットが配置されるサブフレームの１つは、サブフレーム＃０であることが好ましい。換言すると、同期信号バーストセットは、サブフレーム＃０に置かれることが好ましい。端末装置２００は、同期信号バーストセットの先頭を認識することで、各時間のサブフレーム番号を認知することができる。
【０１３３】
各同期信号ブロックには、時間軸におけるインデックス（時間インデックス）が割り当てられる。この同期信号ブロックの時間インデックスは、同期信号ブロックに含まれて端末装置２００に通知される。端末装置２００は、この同期信号ブロックの時間インデックスによって、同期信号ブロックにおける基地局装置１００の下りリンク送信ビームや、無線フレーム及び／又はサブフレーム境界を認知することができる。また、端末装置２００は、この時間インデックスによって、同期信号ブロックのインデックスを識別することができる。
【０１３４】
同期信号ブロックの時間インデックスの通知の一例として、ＮＲ−ＰＢＣＨ−ＤＭＲＳの系列による通知が挙げられる。
【０１３５】
同期信号ブロックの時間インデックスの通知の一例として、ＮＲ−ＭＩＢに含まれる情報による通知が挙げられる。
【０１３６】
＜本実施形態に係るシステム情報＞
システム情報は、そのシステム情報を送信するセルにおける設定を報知する情報である。システム情報は、例えば、そのセルへのアクセスに関する情報、セル選択に関する情報、他ＲＡＴや他システムに関する情報、などが含まれる。
【０１３７】
システム情報は、ＭＩＢとＳＩＢに分類することができる。ＭＩＢは、ＰＢＣＨによって報知される固定のペイロードサイズの情報である。ＭＩＢには、ＳＩＢを取得するための情報が含まれる。ＳＩＢは、ＭＩＢ以外のシステム情報である。ＳＩＢは、ＰＤＳＣＨによって報知される。
【０１３８】
また、システム情報は、第一のシステム情報と第二のシステム情報と第三のシステム情報に分類することができる。第一のシステム情報及び第二のシステム情報は、そのセルへのアクセスに関する情報、その他のシステム情報の取得に関する情報、及びセル選択に関する情報が含まれる。ＬＴＥにおいて、ＭＩＢに含まれる情報が第一のシステム情報、ＳＩＢ１及びＳＩＢ２に含まれる情報が第二のシステム情報であるとみなすことができる。端末装置２００は、そのセルから第一のシステム情報及び第二のシステム情報の全てを取得できなかった場合は、そのセルへのアクセスは禁止されていると想定する。
【０１３９】
ＭＩＢは、システム情報を受信するのに必要な物理層の情報であり、下りリンクのシステム帯域幅、システムフレーム番号の一部、ＳＩＢのスケジューリング情報、などが含まれる。
【０１４０】
ＳＩＢ１は、セルのアクセス規制情報とＳＩＢ１以外のシステム情報のスケジューリング情報であり、セルのアクセス情報、セル選択情報、最大上りリンク送信電力情報、ＴＤＤ設定情報、システム情報の周期、システム情報のマッピング情報、ＳＩ窓の長さ、などが含まれる。
【０１４１】
ＳＩＢ２は、接続禁止情報、共通の無線リソース設定情報（radioResourceConfigCommon）、上りリンクキャリア情報、などが含まれる。セル共通の無線リソース設定情報の中には、セル共通のＰＲＡＣＨ及びＲＡＣＨの設定情報が含まれる。端末装置２００は、初期アクセスの際に、そのＰＲＡＣＨ及びＲＡＣＨの設定情報に基づいてランダムアクセス手続きを行う。
【０１４２】
＜本実施形態に係るＮＲのシステム情報＞
ＮＲにおいても、システム情報はＮＲセルから報知される。
【０１４３】
システム情報を運ぶ物理チャネルは、スロット又はミニスロットで送信されてもよい。ミニスロットとは、スロットのシンボル数よりも少ないシンボル数で定義される。ミニスロットでシステム情報を運ぶ物理チャネルが送信されることで、ビームスイープに必要な時間が短縮されて、オーバヘッドを縮小することができる。
【０１４４】
第一のシステム情報は、ＮＲ−ＰＢＣＨで送信され、第二のシステム情報は、ＮＲ−ＰＢＣＨとは異なる物理チャネルで送られる。
【０１４５】
＜本実施形態に係るＲＡＣＨプロシージャ＞
ＲＡＣＨプロシージャは、アイドル状態から非アクティブ状態又は接続状態へのＲＲＣ接続セットアップ、非アクティブ状態から接続状態への状態遷移の要求、接続セルを切り替えるハンドオーバ、上りリンクデータ送信のためのリソース要求を行うスケジューリングリクエスト、上りリンクの同期を調整するタイミングアドバンス調整、送信されていないシステム情報を要求するオンデマンドＳＩ要求、途切れたビーム接続の復帰（ビームリカバリー）、などの目的を達成するために行われる。
【０１４６】
アイドル状態から非アクティブ状態又は接続状態へのＲＲＣ接続セットアップは、トラフィックの発生などに応じて端末装置２００が基地局装置１００との接続する際に行われる動作である。具体的には、アイドル状態から非アクティブ状態又は接続状態へのＲＲＣ接続セットアップは、基地局装置１００から端末装置２００に対して接続に関する情報（例えば、ＵＥコンテキスト）を渡す動作である。ＵＥコンテキストは、基地局から指示された所定の端末装置２００の識別情報（例えば、Ｃ−ＲＮＴＩ）で管理される。端末装置２００は、この動作を終えると、アイドル状態から非アクティブ状態、又は、アイドル状態から接続状態へ状態遷移する。
【０１４７】
非アクティブ状態から接続状態への状態遷移の要求は、トラフィックの発生などに応じて非アクティブ状態から接続状態への状態遷移の要求を行う動作である。接続状態に遷移することで、端末装置２００は基地局装置１００とユニキャストデータの送受信を行うことができる。
【０１４８】
接続セルを切り替えるハンドオーバは、端末装置２００の移動など電波環境の変化などにより接続しているセル（サービング）からそのセルと隣接しているセル（ネイバーセル）へ接続を切り替える動作である。基地局装置１００からハンドオーバコマンドを受信した端末装置２００は、ハンドオーバコマンドによって指定されたネイバーセルに接続要求を行う。
【０１４９】
スケジューリングリクエストは、トラフィックの発生などに応じて上りリンクデータ送信のためのリソース要求を行う動作である。基地局装置１００は、このスケジューリングリクエストを正常に受信した後、その端末装置２００に対してＰＵＳＣＨのリソースを割り当てる。なお、スケジューリングリクエストはＰＵＣＣＨによっても行われる。
【０１５０】
上りリンクの同期を調整するタイミングアドバンス調整は、伝搬遅延によって生じる下りリンクと上りリンクのフレームの誤差を調整するための動作である。端末装置２００は、下りリンクフレームに調整されたタイミングでＰＲＡＣＨを送信する。これにより、基地局装置１００は、その端末装置２００との伝搬遅延を認識することができ、メッセージ２などでタイミングアドバンスの値をその端末装置２００に指示することができる。
【０１５１】
送信されていないシステム情報を要求するオンデマンドＳＩ要求は、システム情報のオーバヘッド等の目的で送信されていないシステム情報が端末装置２００にとって必要であった場合に、基地局装置１００へシステム情報の送信を要求する動作である。
【０１５２】
途切れたビーム接続の復帰（ビームリカバリー）は、ビームが確立された後に端末装置２００の移動や他の物体による通信経路の遮断などで、通信品質が低下した場合に、復帰要求を行う動作である。この要求を受けた基地局装置１００は、異なるビームを用いて端末装置２００と接続を試みる。
【０１５３】
ＲＡＣＨプロシージャには、更に、衝突ベースＲＡＣＨプロシージャと、非衝突ＲＡＣＨプロシージャが存在する。
【０１５４】
図１０は、本実施形態に係る衝突ベースＲＡＣＨプロシージャの流れの一例を示すシーケンス図である。図１０に示すように、まず、端末装置２００は、メッセージ１とも称されるランダムアクセスプリアンブルを基地局装置１００に送信する（ステップＳ２０２）。次いで、基地局装置１００は、メッセージ２とも称されるランダムアクセス応答を端末装置２００に送信する（ステップＳ２０４）。次に、端末装置２００は、メッセージ３とも称されるＲＲＣ接続要求のＲＲＣメッセージを基地局装置１００に送信する（ステップＳ２０６）。そして、基地局装置１００は、メッセージ４とも称される衝突解決を端末装置２００に送信する（ステップＳ２０８）。
【０１５５】
図１０に示した衝突ベースＲＡＣＨプロシージャは、端末装置２００主導で行われるＲＡＣＨプロシージャである。衝突ベースＲＡＣＨプロシージャは、端末装置２００からのメッセージ１の送信から始まる４ステップのプロシージャである。端末装置２００は、予め設定された複数のＲＡＣＨリソース及び複数のＰＲＡＣＨプリアンブルから選択し、ＰＲＡＣＨを送信する。これらの複数のＲＡＣＨリソース及び複数のＰＲＡＣＨプリアンブルは、他の端末装置２００と共有するため、ＰＲＡＣＨが衝突することがある。
【０１５６】
図１１は、本実施形態に係る非衝突ＲＡＣＨプロシージャの流れの一例を示すシーケンス図である。図１１に示すように、まず、基地局装置１００は、ＰＤＣＣＨオーダーを端末装置２００に送信する（ステップＳ３０２）。次いで、端末装置２００は、ランダムアクセスプリアンブルを基地局装置１００に送信する（ステップＳ３０４）。そして、基地局装置１００は、ランダムアクセス応答を端末装置２００に送信する（ステップＳ３０６）。
【０１５７】
図１１に示した非衝突ＲＡＣＨプロシージャは、基地局主導で行われるＲＡＣＨプロシージャである。非衝突ＲＡＣＨプロシージャは、基地局装置１００からのＰＤＣＣＨオーダーの送信から始まる計３ステップのプロシージャである。端末装置２００は、ＰＤＣＣＨオーダーで指示されたＰＲＡＣＨを用いてランダムアクセスプリアンブルを送信する。基地局装置１００がランダムアクセスプリアンブルをスケジュールすることで、ＰＲＡＣＨの衝突が起こり辛くなる。
【０１５８】
＜本実施形態に係るＮＲのＰＲＡＣＨの詳細＞
ＮＲ−ＰＲＡＣＨは、Zadoff-Chu系列又はM系列を用いて構成される。ＮＲ−ＰＲＡＣＨでは、複数のプリアンブルフォーマットが規定される。プリアンブルフォーマットは、ＰＲＡＣＨのサブキャリア間隔、送信帯域幅、系列長、送信に用いられるシンボル数、送信繰り返し数、ＣＰ長、ガードピリオド長、などのパラメータの組み合わせで規定される。なお、プリアンブルフォーマットによって、ＮＲ−ＰＲＡＣＨの送信に用いられる系列のタイプ（Zaddoff-Chu系列又はM系列）が指定されてもよい。
【０１５９】
アイドルモードの端末装置２００に対して、システム情報によってＮＲ−ＰＲＡＣＨに関する設定がされる。更に、接続モードの端末装置２００に対して、専用ＲＲＣシグナリングによってＮＲ−ＰＲＡＣＨに関する設定がされる。
【０１６０】
ＮＲ−ＰＲＡＣＨは、ＮＲ−ＰＲＡＣＨが送信可能な物理リソース（ＮＲ−ＰＲＡＣＨオケージョン（occasion））によって送信される。その物理リソースは、ＮＲ−ＰＲＡＣＨに関する設定によって指示される。端末装置２００は、その物理リソースのうちのいずれかを選択して、ＮＲ−ＰＲＡＣＨを送信する。更に、接続モードの端末装置２００は、ＮＲ−ＰＲＡＣＨリソースを用いてＮＲ−ＰＲＡＣＨを送信する。ＮＲ−ＰＲＡＣＨリソースは、ＮＲ−ＰＲＡＣＨプリアンブル及びその物理リソースの組み合わせである。基地局装置１００は、ＮＲ−ＰＲＡＣＨリソースを端末装置２００に指示することができる。
【０１６１】
ＮＲ−ＰＲＡＣＨのプリアンブルの系列の種類は、番号付けられる。そのプリアンブルの系列の種類の番号は、プリアンブルインデックスと呼称される。
【０１６２】
ＮＲ−ＰＲＡＣＨは、ランダムアクセス手続きが失敗した際に、再送される。端末装置２００は、再送する際に、バックオフの値（バックオフインディケータ、ＢＩ）から算出される待機期間、ＮＲ−ＰＲＡＣＨの送信を待機する。なお、バックオフの値は、端末装置２００の端末カテゴリや発生したトラヒックの優先度によって異なってもよい。その際、バックオフの値は複数通知され、端末装置２００が優先度によって用いるバックオフの値を選択する。また、ＮＲ−ＰＲＡＣＨの再送を行う際に、ＮＲ−ＰＲＡＣＨの送信電力を初送と比較して上げる（この手続きは、パワーランピング（power  ramping）と呼称される）。
【０１６３】
＜本実施形態に係るＮＲのランダムアクセス応答の詳細＞
【０１６４】
ＮＲのランダムアクセス応答は、ＮＲ−ＰＤＳＣＨによって送られる。
【０１６５】
ランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＣＳＳ（共通サーチスペース）に配置される。なお、そのＲＡ−ＲＮＴＩの値は、そのランダムアクセス応答に対応するＮＲ−ＰＲＡＣＨの送信リソース（時間リソース（スロット又はサブフレーム）、及び、周波数リソース（リソースブロック））に基づいて決定される。なお、そのＮＲ−ＰＤＣＣＨは、ランダムアクセス応答に紐づくＮＲ−ＰＲＡＣＨに対応付けられたサーチスペースに配置されてもよい。具体的には、そのＮＲ−ＰＤＣＣＨが配置されるサーチスペースは、ＮＲ−ＰＲＡＣＨのプリアンブル及び／又はＮＲ−ＰＲＡＣＨが送信された物理リソースに関連付けられて設定される。そのＮＲ−ＰＤＣＣＨが配置されるサーチスペースは、そのプリアンブルインデックス、及び／又は、その物理リソースのインデックスに関連付けられて設定される。
【０１６６】
そのＮＲ−ＰＤＣＣＨは、ＮＲ−ＳＳとＱＣＬである。
【０１６７】
ＮＲのランダムアクセス応答は、ＭＡＣの情報である。ＮＲのランダムアクセス応答は、少なくとも、ＮＲのメッセージ３を送信するための上りリンクグラント、上りリンクのフレーム同期を調整するために用いられるタイミングアドバンスの値、一時的Ｃ−ＲＮＴＩの値、が含まれる。また、ＮＲのランダムアクセス応答は、そのランダムアクセス応答に対応するＮＲ−ＰＲＡＣＨ送信に用いられたＰＲＡＣＨインデックスが含まれる。また、ＮＲのランダムアクセス応答は、ＰＲＡＣＨの送信の待機に用いられるバックオフに関する情報が含まれる。基地局装置１００は、これらの情報を含めて、ＮＲ−ＰＤＳＣＨによって送信する。端末装置２００は、これらの情報から、ランダムアクセスプリアンブルの送信の成功可否の判断を行う。この情報により、ランダムアクセスプリアンブルの送信が失敗したと判断した場合、端末装置２００は、ランダムアクセス応答に含まれる情報に従ってＮＲのメッセージ３の送信処理を行う。一方で、ランダムアクセスプリアンブルの送信が失敗したと判断した場合、端末装置２００は、ランダムアクセス手続きが失敗したとみなし、ＮＲ−ＰＲＡＣＨの再送処理を行う。
【０１６８】
なお、ＮＲのランダムアクセス応答に、ＮＲのメッセージ３を送信するための上りリンクグラントが複数含まれても良い。端末装置２００は、その複数の上りリンクグラントからメッセージ３を送信するリソースを１つ選択することができる。これにより、異なる端末装置２００で、同じＮＲのランダムアクセス応答を受信した場合における、ＮＲのメッセージ３送信の衝突を緩和することができ、より安定的なランダムアクセス手続きが提供することができる。
【０１６９】
＜本実施形態に係るＮＲのメッセージ３の詳細＞
ＮＲのメッセージ３は、ＮＲ−ＰＵＳＣＨによって送られる。そのＮＲ−ＰＵＳＣＨは、ランダムアクセス応答によって指示されたリソースを用いて送信される。
【０１７０】
ＮＲのメッセージ３は、ＲＲＣ接続要求メッセージを含む。
【０１７１】
ＮＲのメッセージ３を含んで送信されるＮＲ−ＰＵＳＣＨのWaveformは、システム情報に含まれるパラメータによって指示される。具体的には、そのパラメータの指示によって、ＯＦＤＭもしくはＤＦＴ−ｓ−ＯＦＤＭが決定される。
【０１７２】
基地局装置１００は、ＮＲのメッセージ３を正常に受信した場合には、衝突解決の送信処理に移行する。一方で、基地局装置１００は、ＮＲのメッセージ３を正常に受信できなかった場合には、少なくとも所定の期間、再度ＮＲのメッセージ３の受信を試みることができる。
【０１７３】
ＮＲのメッセージ３を正常に受信できなかった後の処理の具体的な一例として、基地局装置１００は、端末装置２００に対してメッセージ３の再送の指示を行う。基地局装置１００は、メッセージ３の送信を指示したリソースから所定数のスロット（もしくはサブフレーム、無線フレーム）後の下りリンクリソースを用いて、メッセージ３の再送の指示を送信する。
【０１７４】
メッセージ３の再送及び送信リソースの指示の一例として、ランダムアクセス応答の再送による指示が挙げられる。
【０１７５】
その再送されるランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＲＡ−ＲＮＴＩの値は、初送で用いられたＲＡ−ＲＮＴＩの値と同じ値が用いられる。すなわち、ＲＡ−ＲＮＴＩの値は、そのランダムアクセス応答に対応するＮＲ−ＰＲＡＣＨの送信リソースに基づいて決定される。もしくは、ＲＡ−ＲＮＴＩの値は、ＮＲ−ＰＲＡＣＨの送信リソースに加えて初送と再送を識別する情報に基づいて決定されてもよい。そのＮＲ−ＰＤＣＣＨは、ＣＳＳ（共通サーチスペース）に配置される。
【０１７６】
又は、その再送されるランダムアクセス応答を含むＮＲ−ＰＤＳＣＨは、初送で送信されたランダムアクセス応答に含まれる一時的Ｃ−ＲＮＴＩ又はＣ−ＲＮＴＩによってＣＲＣがスクランブルされたＮＲ−ＰＤＣＣＨによってスケジュールされる。
【０１７７】
メッセージ３の再送の指示及び送信リソースの別の一例として、メッセージ３の再送の指示に用いられるＮＲ−ＰＤＣＣＨによる指示が挙げられる。そのＮＲ−ＰＤＣＣＨは、上りリンクグラントである。そのＮＲ−ＰＤＣＣＨのＤＣＩによって、メッセージ３の再送のリソースが指示される。端末装置２００は、その上りリンクグラントの指示に基づいて、メッセージ３の再送を行う。
【０１７８】
ＮＲのメッセージ３を正常に受信できなかった後の処理の具体的な一例として、基地局装置１００は、事前に指示した再送用リソースにおいてメッセージ３の受信を試みる。
【０１７９】
端末装置２００は、所定期間内にメッセージ３の送信後に基地局装置１００から衝突解決が送信されなかった場合、その事前に指示された再送用リソースを用いてメッセージ３を含んだＮＲ−ＰＵＳＣＨを送信する。
【０１８０】
又は、端末装置２００は、メッセージ３に対するＮＡＣＫを受信した場合、そのＮＡＣＫに対応する事前に指示された再送用リソースを用いてメッセージ３を含んだＮＲ−ＰＵＳＣＨを送信する。
【０１８１】
その事前に指示する再送用リソースは、例えば、システム情報、又は、ランダムアクセス応答に含まれる。
【０１８２】
なお、ＮＲのメッセージ３の再送回数が所定回を超えた場合、又は、所定の期間内にＮＲの衝突解決の受信が成功しなかった場合、端末装置２００は、ランダムアクセス手続きが失敗したとみなし、ＮＲ−ＰＲＡＣＨの再送処理を行う。
【０１８３】
なお、ＮＲのメッセージ３の再送に用いられる端末装置２００の送信ビームは、そのメッセージ３の初送に用いられた端末装置２００の送信ビームと異なってもよい。
【０１８４】
なお、所定期間のうちに、ＮＲの衝突解決及びメッセージ３の再送の指示のいずれも受信できなかった場合、端末装置２００は、ランダムアクセス手続きが失敗したとみなし、ＮＲ−ＰＲＡＣＨの再送処理を行う。その所定期間は、例えば、システム情報によって設定される。
【０１８５】
＜本実施形態に係るＮＲの衝突解決の詳細＞
ＮＲの衝突解決は、ＮＲ−ＰＤＳＣＨによって送られる。
【０１８６】
衝突解決を含むＮＲ−ＰＤＳＣＨは、一時的Ｃ−ＲＮＴＩ又はＣ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＵＳＳ（端末固有サーチスペース）に配置される。なお、そのＮＲ−ＰＤＣＣＨは、ＣＳＳに配置されてもよい。
【０１８７】
端末装置２００は、衝突解決を含むＮＲ−ＰＤＳＣＨを正常に受信した場合、基地局装置１００に対してＡＣＫを応答する。以降、このランダムアクセス手続きが成功したとみなし、端末装置２００は接続状態となる。一方で、端末装置２００から衝突解決を含むＮＲ−ＰＤＳＣＨに対するＮＡＣＫを受信した、又は、無応答であった場合には、基地局装置１００は、その衝突解決を含むＮＲ−ＰＤＳＣＨを再送する。更に、所定期間のうちに、ＮＲの衝突解決が受信できなかった場合、端末装置２００は、ランダムアクセス手続きが失敗したとみなし、ＮＲ−ＰＲＡＣＨの再送処理を行う。
【０１８８】
＜＜２．技術的課題＞＞
ＮＲは、ｅＭＢＢ、ｍＭＴＣ及びＵＲＬＬＣを含む様々なユースケースに対応できるアクセス技術である。これらのユースケースのいずれにおいても、ＲＡＣＨプロシージャのレイテンシーが削減されることが望ましい。
【０１８９】
まず、ｅＭＢＢについて説明する。ｅＭＢＢに関しては、ＲＡＣＨプロシージャの中にビーム調整のプロシージャが導入される。そのため、ｅＭＢＢにおいて行われるＲＡＣＨプロシージャは、ビーム調整を行わないＲＡＣＨプロシージャと比較して、レイテンシーが増大する。よって、ｅＭＢＢにおいて行われるＲＡＣＨプロシージャのレイテンシーが削減されることが望ましい。
【０１９０】
次いで、ＵＲＬＬＣについて説明する。ＵＲＬＬＣは、ｅＭＢＢに比べて、ユーザプレーンの情報だけでなく、制御プレーンの情報も、より低遅延及びより高信頼性が求められる。よって、ＵＲＬＬＣにおいて行われるＲＡＣＨプロシージャのレイテンシーが削減されることが望ましい。
【０１９１】
次に、ｍＭＴＣについて説明する。ｍＭＴＣでは、大量の端末装置２００が狭帯域リソースを共有して通信を行う。従って、ＲＡＣＨの衝突確率が増大する。レイテンシーが長いと、より衝突し易くなり、ＲＡＣＨプロシージャの完了が困難になる。よって、ｍＭＴＣにおいて行われるＲＡＣＨプロシージャのレイテンシーが削減されることが望ましい。
【０１９２】
以上説明したように、ｅＭＢＢ、ｍＭＴＣ及びＵＲＬＬＣのいずれのユースケースにおいても、ＲＡＣＨプロシージャのレイテンシーが削減されることが望ましい。
【０１９３】
４ステップＲＡＣＨプロシージャよりもレイテンシーが小さいＲＡＣＨプロシージャとして、２ステップＲＡＣＨプロシージャが提案されている。しかし、２ステップＲＡＣＨプロシージャは、少ないステップによってプロシージャを完了させるため、安定性が低下し得る。
【０１９４】
そのため、本実施形態では、４ステップＲＡＣＨプロシージャと２ステップＲＡＣＨプロシージャとを柔軟に切り替えながら併用することで、ＲＡＣＨプロシージャのレイテンシーの削減と安定性とを両立させることが可能な仕組みを提案する。
【０１９５】
＜＜３．技術的特徴＞＞
＜機能構成＞
以下、図１２及び図１３を参照して、基地局装置１００及び端末装置２００の機能構成の一例を説明する。
【０１９６】
（１）基地局装置１００の機能構成
図１２は、本実施形態に係る基地局装置１００の機能構成の一例を説明するための図である。図１２に示すように、基地局装置１００は、設定部１１０、選択部１２０及びメッセージ送受信部１３０を含む。なお、図１２に示した各機能は、図５に示した上位層処理部１０１又は制御部１０３等の任意の構成要素において実装され得る。
【０１９７】
設定部１１０は、端末装置２００に各種設定を行う機能を有する。例えば、設定部１１０は、２ステップＲＡＣＨプロシージャと４ステップＲＡＣＨプロシージャとの切り替えのための基準を端末装置２００に設定する。換言すると、設定部１１０は、２ステップＲＡＣＨプロシージャの上りリンクメッセージ又は４ステップＲＡＣＨプロシージャの上りリンクメッセージのいずれを送信するかの選択基準を端末装置２００に設定する。他にも、設定部１１０は、ＲＡＣＨプロシージャの上りリンクメッセージのフォーマット選択のための選択基準を端末装置２００に設定する。設定部１１０は、上記選択基準を含む設定情報を生成する。
【０１９８】
選択部１２０は、２ステップＲＡＣＨプロシージャのメッセージ又は４ステップＲＡＣＨプロシージャのメッセージのいずれを送信するかを選択する機能を有する。即ち、２ステップＲＡＣＨプロシージャと４ステップＲＡＣＨプロシージャとの切り替えは、基地局装置１００主導で行われ得る。
【０１９９】
メッセージ送受信部１３０は、端末装置２００との間で各種メッセージを送受信する機能を有する。例えば、メッセージ送受信部１３０は、ＲＡＣＨプロシージャのメッセージを送受信する。また、メッセージ送受信部１３０は、設定部１１０により生成された設定情報を端末装置２００に送信する。
【０２００】
（２）端末装置２００の機能構成
図１３は、本実施形態に係る端末装置２００の機能構成の一例を説明するための図である。図１３に示すように、端末装置２００は、選択部２１０及びメッセージ送受信部２２０を含む。なお、図１３に示した各機能は、図６に示した上位層処理部２０１又は制御部２０３等の任意の構成要素において実装され得る。
【０２０１】
選択部２１０は、基地局装置１００から設定された選択基準に基づいて、各種選択を行う機能を有する。例えば、選択部２１０は、２ステップＲＡＣＨプロシージャの上りリンクメッセージ又は４ステップＲＡＣＨプロシージャの上りリンクメッセージのいずれを送信するかを選択する。即ち、２ステップＲＡＣＨプロシージャと４ステップＲＡＣＨプロシージャとの切り替えは、端末装置２００主導で行われ得る。また、選択部２１０は、ＲＡＣＨプロシージャの上りリンクメッセージのフォーマットを選択する。
【０２０２】
メッセージ送受信部２２０は、基地局装置１００との間で各種メッセージを送受信する機能を有する。例えば、メッセージ送受信部２２０は、ＲＡＣＨプロシージャのためのメッセージを送受信する。また、メッセージ送受信部２２０は、基地局装置１００から設定情報を受信する。
【０２０３】
以上、基地局装置１００及び端末装置２００の機能構成の一例を説明した。
【０２０４】
なお、本実施形態において、２ステップＲＡＣＨプロシージャの上りリンクメッセージである２ステップＲＡＣＨプロシージャのメッセージ１は、第１の上りリンクメッセージに相当する。２ステップＲＡＣＨプロシージャの下りリンクメッセージである２ステップＲＡＣＨプロシージャのメッセージ２は、第１の下りリンクメッセージに相当する。また、４ステップＲＡＣＨプロシージャの上りリンクメッセージである４ステップＲＡＣＨプロシージャのメッセージ１及びメッセージ３は、第２の上りリンクメッセージに相当する。４ステップＲＡＣＨプロシージャの下りリンクメッセージである４ステップＲＡＣＨプロシージャのメッセージ２及びメッセージ４は、第２の下りリンクメッセージに相当する。
【０２０５】
＜本実施形態に係る２ステップＲＡＣＨプロシージャの詳細＞
本実施形態に係る２ステップＲＡＣＨプロシージャについて説明する。２ステップＲＡＣＨプロシージャは、２つのメッセージ交換により処理が完了するＲＡＨＣプロシージャである。
【０２０６】
２ステップＲＡＣＨプロシージャでは、端末装置２００が基地局装置１００に対して上りリンク送信を行うステップが、第１のステップ（即ち、２ステップＲＡＣＨプロシージャのステップ１）と定義される。そして、第１のステップにおいて上りリンク送信されるメッセージは、メッセージ１とも称される。２ステップＲＡＣＨプロシージャの上りリンクメッセージと４ステップＲＡＣＨプロシージャの上りリンクメッセージとは、典型的には異なる。
【０２０７】
例えば、２ステップＲＡＣＨプロシージャの上りリンクメッセージに含まれる情報と４ステップＲＡＣＨプロシージャの上りリンクメッセージに含まれる情報とは異なり得る。基地局装置１００は、受信した上りリンクメッセージの内容に基づいて、受信したメッセージが２ステップＲＡＣＨプロシージャの上りリンクメッセージであるか４ステップＲＡＣＨプロシージャの上りリンクメッセージであるかを識別することができる。
【０２０８】
また、２ステップＲＡＣＨプロシージャの上りリンクメッセージのフォーマットと４ステップＲＡＣＨプロシージャの上りリンクメッセージのフォーマットとは異なり得る。基地局装置１００は、受信した上りリンクメッセージのフォーマットに基づいて、受信したメッセージが２ステップＲＡＣＨプロシージャの上りリンクメッセージであるか４ステップＲＡＣＨプロシージャの上りリンクメッセージであるかを識別することができる。
【０２０９】
２ステップＲＡＣＨプロシージャでは、第１のステップにおける上りリンク送信に対する応答として、基地局装置１００から端末装置２００へ下りリンク送信を行うステップが、第２のステップ（即ち、２ステップＲＡＣＨプロシージャのステップ２）と定義される。そして、第２のステップにおいて下りリンク送信されるメッセージは、メッセージ２とも称される。２ステップＲＡＣＨプロシージャの下りリンクメッセージは、典型的には、４ステップＲＡＣＨプロシージャの下りリンクメッセージと異なる内容及び又はフォーマットを有する。
【０２１０】
例えば、２ステップＲＡＣＨプロシージャの下りリンクメッセージに含まれる情報と４ステップＲＡＣＨプロシージャの下りリンクメッセージに含まれる情報とは異なり得る。端末装置２００は、受信した下りリンクメッセージの内容に基づいて、受信したメッセージが２ステップＲＡＣＨプロシージャの下りリンクメッセージであるか４ステップＲＡＣＨプロシージャの下りリンクメッセージであるかを識別することができる。
【０２１１】
また、２ステップＲＡＣＨプロシージャの下りリンクメッセージのフォーマットと４ステップＲＡＣＨプロシージャの下りリンクメッセージのフォーマットとは異なり得る。端末装置２００は、受信した下りリンクメッセージのフォーマットに基づいて、受信したメッセージが２ステップＲＡＣＨプロシージャの下りリンクメッセージであるか４ステップＲＡＣＨプロシージャの下りリンクメッセージであるかを識別することができる。
【０２１２】
以下では、２ステップＲＡＣＨプロシージャのメッセージ１及びメッセージ２の内容及びフォーマット、並びに２ステップＲＡＣＨプロシージャの流れについて詳しく説明する。以下では、特に言及しない限り、メッセージ１は２ステップＲＡＣＨプロシージャのメッセージ１であり、メッセージ２は２ステップＲＡＣＨプロシージャのメッセージ２である。
【０２１３】
（１）本実施形態に係る２ステップＲＡＣＨプロシージャのメッセージ１
（１．１）内容
２ステップＲＡＣＨプロシージャのメッセージ１は、４ステップＲＡＣＨプロシージャのメッセージ１及びメッセージ３の両方を含んだメッセージであってもよい。また、２ステップＲＡＣＨプロシージャのメッセージ１は、端末装置２００の識別情報を含んでいてもよい。
【０２１４】
（１．２）フォーマット
メッセージ１のフォーマットは多様に考えられる。
【０２１５】
・ＰＲＡＣＨ＋ＰＵＳＣＨ
例えば、メッセージ１のフォーマットは、ＰＲＡＣＨ及びＰＵＳＣＨの組み合わせであってもよい。即ち、メッセージ１は、ＰＲＡＣＨ及びＰＵＳＣＨを用いて送信されてもよい。端末装置２００の識別情報は、ＰＵＳＣＨに含まれるＵＥ−ＩＤのフィールド、及び／又は、ＰＲＡＣＨプリアンブル、及び／又は、ＲＡＣＨリソースによって表される。
【０２１６】
・ＰＵＳＣＨ
例えば、メッセージ１のフォーマットは、ＰＵＳＣＨであってもよい。即ち、メッセージ１は、ＰＵＳＣＨのみを用いて送信されてもよい。端末装置２００の識別情報は、ＰＵＳＣＨに含まれるＵＥ−ＩＤのフィールド、及び／又は、ＲＡＣＨリソースによって表される。
【０２１７】
・ＰＲＡＣＨ
例えば、メッセージ１のフォーマットは、ＰＲＡＣＨであってもよい。即ち、メッセージ１は、ＰＲＡＣＨのみを用いて送信されてもよい。端末装置２００の識別情報は、ＰＲＡＣＨプリアンブル、及び／又は、ＲＡＣＨリソースによって表される。
【０２１８】
（１．３）繰り返し送信
端末装置２００は、メッセージ２を受信するまでの間、メッセージ１を繰り返し送信してもよい。その際、端末装置２００は、ＰＲＡＣＨ及びＰＵＳＣＨの両方を用いてメッセージ１を繰り返し送信してもよい。また、端末装置２００は、始めにＰＲＡＣＨを用いてメッセージ１を送信し、その後はＰＵＳＣＨを用いてメッセージ１を繰り返し送信してもよい。いずれにしろ、メッセージ１が繰り返し送信されることで、基地局装置１００におけるメッセージ１の受信信頼性を向上させることができる。
【０２１９】
（１．４）ＮＯＭＡ（Non-Orthogonal  multiple  access、非直交多重）送信
メッセージ１で送信されるＰＵＳＣＨは、非直交多重されてもよい。非直交多重とは、複数の端末装置２００の物理チャネルで用いられる物理リソース（周波数リソース及び時間リソース）の一部もしくは全部が重なる多重方式である。当該ＰＵＳＣＨは、例えば、所定のインターリーブコードや拡散コードが乗算され得る。または、当該ＰＵＳＣＨは、ビットレベルで繰り返し送信され得る。基地局装置１００は、非直交多重の復号処理を行うことで、同一の物理リソースを用いた複数の物理チャネルを復号し得る。
【０２２０】
（１．５）メッセージ１のリソース
２ステップＲＡＣＨプロシージャのメッセージ１が送信され得るリソース（２ステップＲＡＣＨプロシージャのメッセージ１のオケージョン）は、基地局装置１００から指示される。端末装置２００は指示されたリソースのうちの一部又は全部を用いてメッセージ１を送信する。
【０２２１】
２ステップＲＡＣＨプロシージャのメッセージ１のＰＲＡＣＨと、４ステップＲＡＣＨプロシージャのＰＲＡＣＨは、物理リソース（周波数リソース及び時間リソース）とＰＲＡＣＨプリアンブルの少なくとも１つは異なるように基地局装置１００から設定される。
【０２２２】
メッセージ１のオケージョンの設定の一例を説明する。
【０２２３】
２ステップＲＡＣＨプロシージャのメッセージ１のオケージョンは、ＰＲＡＣＨオケージョンに重畳されない。メッセージ１のオケージョンとＰＲＡＣＨオケージョンの設定は、独立である。
【０２２４】
メッセージ１のオケージョンの設定の一例を説明する。
【０２２５】
２ステップＲＡＣＨプロシージャのメッセージ１のオケージョンのうちＰＲＡＣＨの送信可能なリソースは、ＰＲＡＣＨオケージョンと共有する。この際、２ステップＲＡＣＨプロシージャで用いることが可能なＰＲＡＣＨプリアンブルのセットと、４ステップＲＡＣＨプロシージャで用いることが可能なＰＲＡＣＨプリアンブルのセットは、独立であることが好ましい。いずれのＰＲＡＣＨプリアンブルも２ステップＲＡＣＨプロシージャのＰＲＡＣＨプリアンブルのセットと４ステップＲＡＣＨプロシージャのＰＲＡＣＨプリアンブルのセットの両方に含まれないことが好ましい。
【０２２６】
（２）本実施形態に係る２ステップＲＡＣＨプロシージャのメッセージ２
（２．１）内容
２ステップＲＡＣＨプロシージャのメッセージ２は、４ステップＲＡＣＨプロシージャのメッセージ２及びメッセージ４の両方を含んだメッセージであってもよい。また、２ステップＲＡＣＨプロシージャのメッセージ１は、端末装置２００の識別情報に関連付けられた応答情報であってもよい。
【０２２７】
（２．２）フォーマット
メッセージ２のフォーマットは多様に考えられる。メッセージ２は、ＰＤＣＣＨでスケジュールされたＰＤＳＣＨで送信されることが好ましい。
【０２２８】
・ＲＡ−ＲＮＴＩ
メッセージ２の送信をスケジュールするＰＤＣＣＨは、ＲＡ−ＲＮＴＩに関連付けられて送信されてもよい。例えば、メッセージ２の送信をスケジュールするＰＤＣＣＨのＣＲＣは、ＲＡ−ＲＮＴＩでスクランブルされて送信されてもよい。
【０２２９】
なお、２ステップＲＡＣＨプロシージャで用いられるＲＡ−ＲＮＴＩは、４ステップＲＡＣＨプロシージャで用いられるＲＡ−ＲＮＴＩとは異なるＲＡ−ＲＮＴＩであってもよい。例えば、２ステップＲＡＣＨプロシージャで用いられるＲＡ−ＲＮＴＩは、４ステップＲＡＣＨプロシージャで用いられるＲＡ−ＲＮＴＩに対して所定のオフセット値を含んで計算され得る。端末装置２００は、このＲＡ−ＲＮＴＩの差異から、基地局装置１００からの応答が４ステップＲＡＣＨであるか２ステップＲＡＣＨであるかを認識することができる。
【０２３０】
・Ｃ−ＲＮＴＩ
メッセージ２の送信をスケジュールするＰＤＣＣＨは、Ｃ−ＲＮＴＩに関連付けられて送信されてもよい。例えば、メッセージ２の送信をスケジュールするＰＤＣＣＨのＣＲＣは、Ｃ−ＲＮＴＩでスクランブルされて送信されてもよい。
【０２３１】
なお、Ｃ−ＲＮＴＩは、基地局装置１００により予め設定される。
【０２３２】
・Ｃ−ＲＮＴＩ以外の端末装置２００の識別子
メッセージ２の送信をスケジュールするＰＤＣＣＨは、Ｃ−ＲＮＴＩ以外の端末装置２００の識別子に関連付けられて送信されてもよい。かかる識別子は、例えば、ＳＩＭ（Subscriber  Identity  Module）に割り当てられる固有識別番号、又はＳ−ＴＭＳＩなどである。
【０２３３】
（３）処理の流れ
図１４は、本実施形態に係る２ステップＲＡＣＨプロシージャの流れの一例を示すシーケンス図である。図１４に示すように、端末装置２００は、２ステップＲＡＣＨプロシージャのメッセージ１を基地局装置１００に送信する（ステップＳ４０２）。このメッセージ１は、例えばランダムアクセスプリアンブル及びＲＲＣ接続要求のＲＲＣメッセージを含む。次いで、基地局装置１００は、２ステップＲＡＣＨプロシージャのメッセージ２を端末装置２００に送信する（ステップＳ４０４）。このメッセージ２は、例えばランダムアクセス応答を含む。
【０２３４】
図１４に示した２ステップＲＡＣＨプロシージャによれば、図１０に示した４ステップＲＡＣＨプロシージャと比較して、４ステップから２ステップにステップ数（即ち、メッセージ数）が削減されるので、ＲＡＣＨプロシージャ全体のレイテンシーを削減することができる。
【０２３５】
２ステップＲＡＣＨプロシージャは、アンライセンスバンドにおいて特に有益である。詳しくは、アンライセンスバンドにおいて、４ステップＲＡＣＨプロシージャが行われる場合、チャネルアクセスが４回行われる。一方で、アンライセンスバンドにおいて、２ステップＲＡＣＨプロシージャが行われる場合、チャネルアクセスが２回で済む。このように、２ステップＲＡＣＨプロシージャは、４ステップＲＡＣＨプロシージャと比較して、アンライセンスバンドにおけるチャネルアクセス頻度を軽減することが可能である。
【０２３６】
＜ＲＡＣＨプロシージャの切り替え＞
本実施形態に係る基地局装置１００及び端末装置２００は、２ステップＲＡＣＨプロシージャと４ステップＲＡＣＨプロシージャとを切り替える。
【０２３７】
詳しくは、端末装置２００（例えば、選択部２１０）は、ＲＡＣＨプロシージャにおいて、２ステップＲＡＣＨプロシージャの上りリンクメッセージ又は４ステップＲＡＣＨプロシージャの上りリンクメッセージのいずれを基地局装置１００に送信するかを選択する。即ち、端末装置２００は、２ステップＲＡＣＨプロシージャ又は４ステップＲＡＣＨプロシージャのいずれを実行するかを選択する。
【０２３８】
また、基地局装置１００（例えば、設定部１１０）は、ＲＡＣＨプロシージャにおいて、２ステップＲＡＣＨプロシージャの上りリンクメッセージ又は４ステップＲＡＣＨプロシージャの上りリンクメッセージのいずれを送信するかを端末装置２００が選択するための選択基準（第１の選択基準に相当）を、端末装置２００に設定する。基地局装置１００は、２ステップＲＡＣＨプロシージャと４ステップＲＡＣＨプロシージャの双方をサポートする端末装置２００に対し、第１の選択基準を設定する。端末装置２００は、基地局装置１００により設定された第１の選択基準に基づいて、２ステップＲＡＣＨプロシージャの上りリンクメッセージと４ステップＲＡＣＨプロシージャの上りリンクメッセージのいずれを送信するかを選択する。
【０２３９】
２ステップＲＡＣＨプロシージャは、４ステップＲＡＣＨプロシージャに比べてレイテンシーが小さい一方で、衝突解決が十分にできない等の影響で安定性に欠ける。一方で、４ステップＲＡＣＨプロシージャは十分な安定性を有する一方で、レイテンシーが大きい。端末装置２００は、２ステップＲＡＣＨプロシージャと４ステップＲＡＣＨプロシージャとを所定の選択基準に従って柔軟に切り替えながら併用することで、ＲＡＣＨプロシージャのレイテンシーの削減と安定性とを両立させることができる。
【０２４０】
以下、選択基準の一例を説明する。
【０２４１】
（１）用途
端末装置２００は、ＲＡＣＨプロシージャの用途に応じて、２ステップＲＡＣＨプロシージャの上りリンクメッセージ又は４ステップＲＡＣＨプロシージャの上りリンクメッセージのいずれを基地局装置１００に送信するかを選択してもよい。
【０２４２】
２ステップＲＡＣＨプロシージャを実行すべき用途としては、非アクティブモードから接続モードへの接続セットアップ、共通ＲＡＣＨリソースを用いたハンドオーバ、スケジューリングリクエスト、オンデマンドＳＩ要求及びビームリカバリー等が挙げられる。これらの用途でＲＡＣＨプロシージャを実行する場合、端末装置２００は、２ステップＲＡＣＨプロシージャの上りリンクメッセージを基地局装置１００に送信することで、２ステップＲＡＣＨプロシージャを実行する。
【０２４３】
４ステップＲＡＣＨプロシージャを実行すべき用途としては、アイドルモードからＲＲＣ接続への接続セットアップ及びタイミングアドバンス調整等が挙げられる。これらの用途でＲＡＣＨプロシージャを実行する場合、端末装置２００は、４ステップＲＡＣＨプロシージャの上りリンクメッセージを基地局装置１００に送信することで、４ステップＲＡＣＨプロシージャを実行する。
【０２４４】
（２）ＲＲＣ状態
端末装置２００は、端末装置２００のＲＲＣ状態に基づいて、２ステップＲＡＣＨプロシージャの上りリンクメッセージ又は４ステップＲＡＣＨプロシージャの上りリンクメッセージのいずれを基地局装置１００に送信するかを選択してもよい。
【０２４５】
例えば、端末装置２００は、端末装置２００のＲＲＣ状態がアイドルモードである場合に、４ステップＲＡＣＨプロシージャの上りリンクメッセージを基地局装置１００に送信するメッセージとして選択する。具体的には、端末装置２００は、ＲＲＣ状態がアイドルモードから非アクティブモード又は接続モードに遷移する際に、４ステップＲＡＣＨプロシージャを実行する。換言すると、ＲＲＣ情報を有しない端末装置２００は、４ステップＲＡＣＨプロシージャを実行する。
【０２４６】
例えば、端末装置２００は、端末装置２００のＲＲＣ状態が非アクティブモード又は接続モードである場合に、２ステップＲＡＣＨプロシージャの上りリンクメッセージを基地局装置１００に送信するメッセージとして選択する。具体的には、端末装置２００は、ＲＲＣ状態が非アクティブモードから接続モードに遷移する際に、２ステップＲＡＣＨプロシージャを実行する。換言すると、ＲＲＣ情報を有する端末装置２００は、２ステップＲＡＣＨプロシージャを実行する。
【０２４７】
（３）フォールバック
端末装置２００は、まず２ステップＲＡＣＨプロシージャを実行し、２ステップＲＡＣＨプロシージャに失敗した場合に、４ステップＲＡＣＨプロシージャを実行する。即ち、端末装置２００は、まず２ステップＲＡＣＨプロシージャの上りリンクメッセージを選択し、２ステップＲＡＣＨプロシージャに失敗した場合に、４ステップＲＡＣＨプロシージャの上りリンクメッセージを基地局装置１００に送信するメッセージとして選択する。このような、一旦２ステップＲＡＣＨプロシージャを実行してから、ＲＡＣＨプロシージャを４ステップＲＡＣＨプロシージャに切り替えることを、フォールバックとも称する。
【０２４８】
２ステップＲＡＣＨプロシージャの成功／失敗は、端末装置２００により認識され得る。例えば、端末装置２００は、２ステップＲＡＣＨプロシージャの上りリンクメッセージに対応する２ステップＲＡＣＨプロシージャの下りリンクメッセージを基地局装置１００から受信したことを、２ステップＲＡＣＨプロシージャの成功として認識する。一方で、端末装置２００は、２ステップＲＡＣＨプロシージャの上りリンクメッセージに対応する２ステップＲＡＣＨプロシージャの下りリンクメッセージを基地局装置１００から受信しないことを、２ステップＲＡＣＨプロシージャの失敗として認識する。即ち、端末装置２００は、２ステップＲＡＣＨプロシージャのメッセージ１に対応する２ステップＲＡＣＨプロシージャのメッセージ２が受信された場合に成功と認識し、受信されない場合に失敗と認識する。そして、端末装置２００は、２ステップＲＡＣＨプロシージャの失敗を認識した場合に、４ステップＲＡＣＨプロシージャへのフォールバックを実行する。
【０２４９】
端末装置２００は、２ステップＲＡＣＨプロシージャに成功するまで、２ステップＲＡＣＨプロシージャの上りリンクメッセージを再送してもよい。その場合、端末装置２００は、２ステップＲＡＣＨプロシージャの上りリンクメッセージの送信回数が所定の閾値を超えても２ステップＲＡＣＨプロシージャに失敗する場合に、４ステップＲＡＣＨプロシージャの上りリンクメッセージを基地局装置１００に送信するメッセージとして選択する。２ステップＲＡＣＨプロシージャの上りリンクメッセージの送信回数は、ランダムアクセス失敗をカウントするためのカウンタで数えられてもよい。ランダムアクセス失敗をカウントするためのカウンタとして、４ステップＲＡＣＨプロシージャ用のカウンタと２ステップＲＡＣＨプロシージャ用のカウントとがネットワークから設定され得る。
【０２５０】
２ステップＲＡＣＨプロシージャの成功／失敗は、基地局装置１００により認識され得る。基地局装置１００は、２ステップＲＡＣＨプロシージャの上りリンクメッセージの全部の受信に成功したことを、２ステップＲＡＣＨプロシージャの成功として認識する。基地局装置１００は、２ステップＲＡＣＨプロシージャの上りリンクメッセージの一部の受信に成功したことを、２ステップＲＡＣＨプロシージャの失敗として認識する。なお、上記２ステップＲＡＣＨプロシージャの上りリンクメッセージの一部とは、例えばＰＲＡＣＨであってもよい。また、上記２ステップＲＡＣＨプロシージャの上りリンクメッセージの一部とは、例えばＰＵＳＣＨのＤＭＲＳであってもよい。
【０２５１】
基地局装置１００は、２ステップＲＡＣＨプロシージャの失敗を認識した場合に、４ステップＲＡＣＨプロシージャへのフォールバックを実行する。その場合、基地局装置１００は、４ステップＲＡＣＨプロシージャへの切り替えを指示する情報を端末装置２００に送信する。当該４ステップＲＡＣＨプロシージャへの切り替えを指示する情報は、４ステップＲＡＣＨプロシージャのメッセージ２であってもよいし、他のメッセージであってもよい。そして、端末装置２００は、４ステップＲＡＣＨプロシージャへの切り替えを指示する情報を基地局装置１００から受信したことを、２ステップＲＡＣＨプロシージャの失敗として認識し、４ステップＲＡＣＨプロシージャへのフォールバックを実行する。例えば、端末装置２００は、４ステップＲＡＣＨプロシージャのメッセージ１又はメッセージ３を基地局装置１００に送信する。
【０２５２】
当該ＲＡＣＨプロシージャへの切り替えを指示する情報の一例として、ＲＮＴＩが挙げられる。端末装置２００は、２ステップＲＡＣＨプロシージャに対応するＲＮＴＩが用いられた場合、２ステップＲＡＣＨプロシージャであると認識し、４ステップＲＡＣＨプロシージャに対応するＲＮＴＩが用いられた場合、４ステップＲＡＣＨプロシージャであると認識する。
【０２５３】
当該ＲＡＣＨプロシージャへの切り替えを指示する情報の一例として、サーチスペースが挙げられる。端末装置２００は、２ステップＲＡＣＨプロシージャに対応するサーチスペースが用いられた場合、２ステップＲＡＣＨプロシージャであると認識し、４ステップＲＡＣＨプロシージャに対応するサーチスペースが用いられた場合、４ステップＲＡＣＨプロシージャであると認識する。
【０２５４】
なお、フォールバックされた場合、パワーランピングに用いられる送信回数のカウントは、リセットされないことが好ましい。また、フォールバックされた場合、ビームスイッチされた回数のカウントは、リセットされないことが好ましい。
【０２５５】
（４）セル
端末装置２００は、ＲＡＣＨプロシージャが行われるセルに基づいて、２ステップＲＡＣＨプロシージャの上りリンクメッセージ又は４ステップＲＡＣＨプロシージャの上りリンクメッセージのいずれを基地局装置１００に送信するかを選択してもよい。
【０２５６】
ＰＣｅｌｌ（Primary  Cell）及び／又はＰＳＣｅｌｌ（Primary  Secondary  Cell）は、アンカーキャリアとも呼称され、システム情報などの制御情報の伝達やモビリティ管理、無線リンク管理などに役割を果たす。そのため、ＰＣｅｌｌ及び／又はＰＳＣｅｌｌにおいて、接続の安定性が求められる。一方で、ＳＣｅｌｌ（Secondary  Cell）は、トラフィックオフロードなどの役割を果たす。そのため、接続の安定性よりもレイテンシー低減及びリソースオーバーヘッドの低減が重要となる。
【０２５７】
よって、端末装置２００は、ＲＡＣＨプロシージャがＰＣｅｌｌ及び／又はＰＳＣｅｌｌで行われる場合に、４ステップＲＡＣＨプロシージャの上りリンクメッセージを基地局装置１００に送信するメッセージとして選択する。これにより、接続の安定性を実現することができる。一方で、端末装置２００は、ＲＡＣＨプロシージャがＰＳＣｅｌｌ又はＳＣｅｌｌで行われる場合に、２ステップＲＡＣＨプロシージャの上りリンクメッセージを基地局装置１００に送信するメッセージとして選択する。これにより、レイテンシー低減及びリソースオーバーヘッドの低減を実現することができる。このように、接続の安定性が求められる場合、並びに接続の安定性よりもレイテンシー低減及びリソースオーバーヘッドの低減が求められる場合のいずれの場合も、要求を満たすことが可能となる。
【０２５８】
なお、非衝突ＲＡＣＨプロシージャは、ＲＡＣＨプロシージャがＰＣｅｌｌ、ＰＳＣｅｌｌ、及び／又は、ＳＣｅｌｌで行われる場合に、実行され得る。
【０２５９】
上述したＰＣｅｌｌ及びＰＳＣｅｌｌを初期アクティブ帯域幅に、ＳＣｅｌｌを初期アクティブ帯域幅以外の帯域幅に、それぞれ読み替えられてもよい。読み替えた場合も、同様の効果が発揮される。
【０２６０】
＜フォーマットの切り替え＞
本実施形態に係る基地局装置１００及び端末装置２００は、２ステップＲＡＣＨプロシージャのメッセージのフォーマットを切り替える。
【０２６１】
詳しくは、端末装置２００（例えば、選択部２１０）は、２ステップＲＡＣＨプロシージャの上りリンクメッセージのフォーマットを選択する。
【０２６２】
また、基地局装置１００（例えば、設定部１１０）は、２ステップＲＡＣＨプロシージャの上りリンクメッセージのフォーマットを端末装置２００が選択するための選択基準（第２の選択基準に相当）を、端末装置２００に設定する。基地局装置１００は、２ステップＲＡＣＨプロシージャをサポートする端末装置２００に対し、第２の選択基準を設定する。端末装置２００は、基地局装置１００により設定された第２の選択基準に基づいて、２ステップＲＡＣＨプロシージャの上りリンクメッセージのフォーマットを選択する。
【０２６３】
タイミングアドバンス調整の重要度が低いセルでは、ＰＲＡＣＨを送信する重要度が低い。そのため、端末装置２００は、タイミングアドバンス調整の重要度が高いセルではＰＲＡＣＨを用いるフォーマットを選択し、タイミングアドバンス調整の重要度が低いセルではＰＲＡＣＨを用いないフォーマットを選択する。ＰＲＡＣＨを送信しない場合には、端末装置２００の消費電力の削減が期待できる。また、ＰＲＡＣＨを送信しない場合には、ＰＲＡＣＨのリソースを設定する必要がないので、リソース効率が改善する。
【０２６４】
以下、選択基準の一例を説明する。
【０２６５】
（１）基地局装置１００からの指示
基地局装置１００は、２ステップＲＡＣＨプロシージャの上りリンクメッセージのフォーマットを端末装置２００に指示してもよい。基地局装置１００は、セル設計の段階で、タイミングアドバンス調整の重要度を判断し、判断結果に応じてフォーマットを指示する。端末装置２００は、基地局装置１００から指示されたフォーマットを選択する。
【０２６６】
基地局装置１００は、例えば、フォーマットの指示をＲＡＣＨ設定に含めて端末装置２００に送信してもよい。フォーマットの指示は、ＰＲＡＣＨの送信有無を示す１ビットの情報であってもよい。ＲＡＣＨ設定は、少なくともシステム情報（ＭＩＢ又はＳＩＢ）に含まれる。
【０２６７】
・具体例
端末装置２００は、基地局装置１００からＰＲＡＣＨ及びＰＵＳＣＨを用いるよう指示された場合、ＰＲＡＣＨ及びＰＵＳＣＨを用いて２ステップＲＡＣＨプロシージャのメッセージ１を送信する。一方で、端末装置２００は、基地局装置１００からＰＲＡＣＨ及びＰＵＳＣＨを用いるよう指示されなかった場合、ＰＵＳＣＨのみを用いて２ステップＲＡＣＨプロシージャのメッセージ１を送信する。
【０２６８】
（２）パスロス
端末装置２００は、基地局装置１００と端末装置２００との間のパスロスに基づいて、２ステップＲＡＣＨプロシージャの上りリンクメッセージのフォーマットを選択してもよい。
【０２６９】
パスロスは伝搬遅延に相関する。パスロスが大きい場合、基地局装置１００と端末装置２００との間の伝搬遅延が大きくなるので、ＰＲＡＣＨを用いて上りリンクの同期が補償されることが望ましい。そこで、端末装置２００は、パスロスが所定の閾値よりも大きい場合にＰＲＡＣＨ及びＰＵＳＣＨを用いるフォーマットを選択し、パスロスが所定の閾値よりも小さい場合にＰＵＳＣＨのみを用いるフォーマットを選択する。このように、上りリンク同期が補償されることが望ましい場面に限定してＰＲＡＣＨを用いるフォーマットが選択されることで、消費電力が削減され、リソース効率が改善する。
【０２７０】
・具体例
端末装置２００は、パスロスが所定の閾値よりも大きい場合、ＰＲＡＣＨ及びＰＵＳＣＨを用いて２ステップＲＡＣＨプロシージャのメッセージ１を送信する。一方で、端末装置２００は、パスロスが所定の閾値よりも小さい場合、ＰＵＳＣＨのみを用いて２ステップＲＡＣＨプロシージャのメッセージ１を送信する。
【０２７１】
（３）ＰＵＳＣＨの波形
端末装置２００は、ＰＵＳＣＨの波形（Waveform）に基づいて、２ステップＲＡＣＨプロシージャの上りリンクメッセージのフォーマットを選択してもよい。
【０２７２】
ＤＦＴ−ｓ−ＯＦＤＭ（ＳＣ−ＦＤＭＡ）は、送信電力の削減の観点から有益である。そのため、多くの送信電力が要される場合にＤＦＴ−ｓ−ＯＦＤＭが用いられる。例えば、基地局装置１００から端末装置２００が離れている等の事情でパスロスが大きい場合、多くの送信電力が要される。上述したように、パスロスが大きい場合、基地局装置１００と端末装置２００との間の伝搬遅延が大きくなるので、ＰＲＡＣＨを用いて上りリンクの同期が補償されることが望ましい。
【０２７３】
そこで、端末装置２００は、ＤＦＴ−ｓ−ＯＦＤＭを用いる場合にＰＲＡＣＨ及びＰＵＳＣＨを用いるフォーマットを選択し、ＤＦＴ−ｓ−ＯＦＤＭを用いない場合にＰＵＳＣＨのみを用いるフォーマットを選択する。このように、上りリンク同期が補償されることが望ましい場面に限定してＰＲＡＣＨを用いるフォーマットが選択されることで、消費電力が削減され、リソース効率が改善する。
【０２７４】
・具体例
端末装置２００は、ＰＵＳＣＨの波形としてＤＦＴ−ｓ−ＯＦＤＭを用いることを基地局装置１００により指示された場合、ＰＲＡＣＨ及びＰＵＳＣＨを用いて２ステップＲＡＣＨプロシージャのメッセージ１を送信する。一方で、端末装置２００は、ＰＵＳＣＨの波形としてＯＦＤＭを用いることを基地局装置１００により指示された場合、ＰＵＳＣＨのみを用いて２ステップＲＡＣＨプロシージャのメッセージ１を送信する。
【０２７５】
（４）周波数帯域
端末装置２００は、２ステップＲＡＣＨプロシージャを実行する周波数帯域に基づいて、２ステップＲＡＣＨプロシージャの上りリンクメッセージのフォーマットを選択してもよい。
【０２７６】
・第１の例
端末装置２００は、２ステップＲＡＣＨプロシージャを実行するセルでＬＢＴ（Listen  Before-Talk）が要求されるか否かに基づいて、２ステップＲＡＣＨプロシージャの上りリンクメッセージのフォーマットを選択する。
【０２７７】
ＬＢＴが要求されないセルでは、端末装置２００がＬＢＴを行わないので、複数の端末装置２００から２ステップＲＡＣＨプロシージャのメッセージ１が同時に（即ち、少なくとも一部が重複する物理リソースを用いて）送信される可能性がある。従って、ＬＢＴが要求されないセルでは、２ステップＲＡＣＨプロシージャのメッセージ１の衝突頻度が高い。そのため、端末装置２００は、ＬＢＴが要求されないセルでは、ＰＲＡＣＨ及びＰＵＳＣＨを用いるフォーマットを選択する。これにより、基地局装置１００は、複数の端末装置２００から２ステップＲＡＣＨプロシージャのメッセージ１が同時に送信された場合であっても、ＰＲＡＣＨに基づいて各々のメッセージ１を検出することが可能である。一方で、ＬＢＴが要求されるセルでは、端末装置２００がＬＢＴを行うので、複数の端末装置２００から２ステップＲＡＣＨプロシージャのメッセージ１が同時に送信される可能性が低い。従って、ＬＢＴが要求されるセルでは、２ステップＲＡＣＨプロシージャのメッセージ１の衝突頻度が低い。そのため、端末装置２００は、ＬＢＴが要求されないセルでは、ＰＵＳＣＨのみを用いるフォーマットを選択する。
【０２７８】
・第１の例の具体例
端末装置２００は、ＲＡＣＨプロシージャを行うセルがライセンスバンド（ＬＢＴが要求されない周波数帯域）である場合、ＰＲＡＣＨ及びＰＵＳＣＨを用いて２ステップＲＡＣＨプロシージャのメッセージ１を送信する。一方で、端末装置２００は、ＲＡＣＨプロシージャを行うセルがアンライセンスバンド（ＬＢＴが要求される周波数帯域）である場合、ＰＵＳＣＨのみを用いて２ステップＲＡＣＨプロシージャのメッセージ１を送信する。
【０２７９】
・第２の例
端末装置２００は、２ステップＲＡＣＨプロシージャを実行するセルの周波数帯域が所定の周波数帯域以上であるか否かに基づいて、２ステップＲＡＣＨプロシージャの上りリンクメッセージのフォーマットを選択する。
【０２８０】
セルの周波数帯域は、セルのカバレッジの大きさに相関する。セルの周波数帯域が高く、カバレッジが小さい場合、伝搬遅延が小さい。そのためＰＲＡＣＨを用いて上りリンクの同期を補償することの効果が小さいため、ＰＲＡＣＨが送信されなくてもよい。一方で、セルの周波数帯域が低く、カバレッジが大きい場合伝搬遅延が大きい。そのため、ＰＲＡＣＨを用いて上りリンクの同期が補償されることが望ましい。
【０２８１】
・第２の例の具体例
端末装置２００は、２ステップＲＡＣＨプロシージャを実行するセルの周波数帯域が所定の周波数帯域未満である場合、ＰＲＡＣＨ及びＰＵＳＣＨを用いて２ステップＲＡＣＨプロシージャのメッセージ１を送信する。一方で、端末装置２００は、２ステップＲＡＣＨプロシージャを実行するセルの周波数帯域が所定の周波数帯域以上である場合、ＰＵＳＣＨのみを用いて２ステップＲＡＣＨプロシージャのメッセージ１を送信する。
【０２８２】
（５）２ステップＲＡＣＨプロシージャのメッセージ１の再送回数
端末装置２００は、２ステップＲＡＣＨプロシージャのメッセージ１の再送回数に基づいて、２ステップＲＡＣＨプロシージャの上りリンクメッセージのフォーマットを選択する。
【０２８３】
端末装置２００は、２ステップＲＡＣＨプロシージャを実行する場合、２ステップＲＡＣＨプロシージャに成功するまで、２ステップＲＡＣＨプロシージャのメッセージ１を再送し得る。再送が多くなる要因の１つとして、複数の端末装置２００が同じ物理リソースを用いることにより生じる、ＰＵＳＣＨの衝突が考えられる。そこで、端末装置２００は、再送回数が所定の閾値未満である場合にＰＵＳＣＨのみを用いるフォーマットを選択し、再送回数が所定の閾値以上である場合にＰＲＡＣＨ及びＰＵＳＣＨを用いるフォーマットを選択する。再送回数が多くなった場合には、ＰＲＡＣＨを用いて２ステップＲＡＣＨプロシージャのメッセージ１が送信される。これにより、基地局装置１００は、ＰＵＳＣＨの衝突が生じる場合であっても、ＰＲＡＣＨに基づいてメッセージ１の検出に成功する可能性を向上させることができる。
【０２８４】
なお、再送回数の閾値は、基地局装置１００により指示され得る。基地局装置１００は、例えば、再送回数の閾値をＲＡＣＨ設定に含めて端末装置２００に送信してもよい。ＲＡＣＨ設定は、システム情報（ＭＩＢ又はＳＩＢ）に含まれ得る。
【０２８５】
・具体例
端末装置２００は、初送の場合、ＰＵＳＣＨのみを用いて２ステップＲＡＣＨプロシージャのメッセージ１を送信する。一方で、端末装置２００は、再送の場合、ＰＲＡＣＨ及びＰＵＳＣＨを用いて２ステップＲＡＣＨプロシージャのメッセージ１を送信する。
【０２８６】
＜処理の流れ＞
以上説明した、ＲＡＣＨプロシージャの切り替え及びフォーマットの切り替えに関するＲＡＣＨプロシージャの流れの一例を、図１５を参照して説明する。
【０２８７】
図１５は、本実施系形態に係る端末装置２００により実行されるＲＡＣＨプロシージャの流れの一例を示すフローチャートである。図１５に示すように、まず、端末装置２００は、基地局装置１００から選択基準を受信する（ステップＳ５０２）。ここでの選択基準とは、ＲＡＣＨプロシージャの選択のための第１の選択基準、及びフォーマット選択のための第２の選択基準を含む。次いで、端末装置２００は、２ステップＲＡＣＨプロシージャの上りリンクメッセージ又は４ステップＲＡＣＨプロシージャの上りリンクメッセージのいずれを送信するか選択する（ステップＳ５０４）。端末装置２００は、上記ステップＳ５０２において受信した第１の選択基準に基づいて当該選択を行う。
【０２８８】
２ステップＲＡＣＨプロシージャの上りリンクメッセージが選択された場合（ステップＳ５０６／ＹＥＳ）、端末装置２００は、２ステップＲＡＣＨプロシージャの上りリンクメッセージのフォーマットを選択する（ステップＳ５０８）。端末装置２００は、上記ステップＳ５０２において受信した第２の選択基準に基づいて当該選択を行う。そして、端末装置２００は、２ステップＲＡＣＨプロシージャを実行する（ステップＳ５１０）。詳しくは、端末装置２００は、２ステップＲＡＣＨプロシージャのメッセージ１を基地局装置１００に送信する。２ステップＲＡＣＨプロシージャに成功した場合（ステップＳ５１２／ＹＥＳ）、処理は終了する。一方で、２ステップＲＡＣＨプロシージャに失敗した場合（ステップＳ５１２／ＮＯ）、端末装置２００は、４ステップＲＡＣＨプロシージャにフォールバックする（ステップＳ５１４）。ステップＳ５１４における処理については、次に詳しく説明する。
【０２８９】
４ステップＲＡＣＨプロシージャの上りリンクメッセージが選択された場合（ステップＳ５０６／ＮＯ）、端末装置２００は、４ステップＲＡＣＨプロシージャを実行する（ステップＳ５１４）。詳しくは、端末装置２００は、４ステップＲＡＣＨプロシージャのメッセージ１を基地局装置１００に送信する。その後、端末装置２００は、基地局装置１００との間で、４ステップＲＡＣＨプロシージャのメッセージ２〜５を送受信する。そして、４ステップＲＡＣＨプロシージャに成功すると、処理は終了する。
【０２９０】
＜＜４．応用例＞＞
本開示に係る技術は、様々な製品へ応用可能である。例えば、基地局装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１００は、ＮｏｄｅＢ又はＢＴＳ（Base  Transceiver  Station）などの他の種類の基地局として実現されてもよい。基地局装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１００として動作してもよい。
【０２９１】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０２９２】
＜基地局装置に関する応用例＞
（第１の応用例）
図１６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２９３】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１６に示したように複数のアンテナ８１０を有し、複数のアンテナ８１０は、例えばｅＮＢ８００が使用する複数の周波数帯域にそれぞれ対応してもよい。なお、図１６にはｅＮＢ８００が複数のアンテナ８１０を有する例を示したが、ｅＮＢ８００は単一のアンテナ８１０を有してもよい。
【０２９４】
基地局装置８２０は、コントローラ８２１、メモリ８２２、ネットワークインタフェース８２３及び無線通信インタフェース８２５を備える。
【０２９５】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２９６】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２９７】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２９８】
無線通信インタフェース８２５は、図１６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１６に示したように複数のＲＦ回路８２７を含み、複数のＲＦ回路８２７は、例えば複数のアンテナ素子にそれぞれ対応してもよい。なお、図１６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２９９】
図１６に示したｅＮＢ８００において、図５を参照して説明した上位層処理部１０１、制御部１０３、受信部１０５及び／又は送信部１０７は、無線通信インタフェース８２５（例えば、ＢＢプロセッサ８２６及び／又はＲＦ回路８２７）、コントローラ８２１及び／又はネットワークインタフェース８２３において実装されてもよい。換言すると、図１６に示したｅＮＢ８００において、図１２を参照して説明した設定部１１０、選択部１２０及び／又はメッセージ送受信部１３０は、無線通信インタフェース８２５（例えば、ＢＢプロセッサ８２６及び／又はＲＦ回路８２７）、コントローラ８２１及び／又はネットワークインタフェース８２３において実装されてもよい。例えば、無線通信インタフェース８２５、コントローラ８２１及び／又はネットワークインタフェース８２３は、端末装置２００に第１の選択基準及び第２の選択基準を設定し、端末装置２００との間で２ステップＲＡＣＨプロシージャ又は４ステップＲＡＣＨプロシージャのメッセージを送受信する。例えば、無線通信インタフェース８２５に含まれるプロセッサにおいて、これらの動作を行うための機能が実装されてもよい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８１０において実装されてもよい。
【０３００】
（第２の応用例）
図１７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３０１】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１７に示したように複数のアンテナ８４０を有し、複数のアンテナ８４０は、例えばｅＮＢ８３０が使用する複数の周波数帯域にそれぞれ対応してもよい。なお、図１７にはｅＮＢ８３０が複数のアンテナ８４０を有する例を示したが、ｅＮＢ８３０は単一のアンテナ８４０を有してもよい。
【０３０２】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１６を参照して説明したコントローラ８２１、メモリ８２２及びネットワークインタフェース８２３と同様のものである。
【０３０３】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１６を参照して説明したＢＢプロセッサ８２６と同様のものである。無線通信インタフェース８５５は、図１７に示したように複数のＢＢプロセッサ８５６を含み、複数のＢＢプロセッサ８５６は、例えばｅＮＢ８３０が使用する複数の周波数帯域にそれぞれ対応してもよい。なお、図１７には無線通信インタフェース８５５が複数のＢＢプロセッサ８５６を含む例を示したが、無線通信インタフェース８５５は単一のＢＢプロセッサ８５６を含んでもよい。
【０３０４】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３０５】
また、ＲＲＨ８６０は、接続インタフェース８６１及び無線通信インタフェース８６３を備える。
【０３０６】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３０７】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１７に示したように複数のＲＦ回路８６４を含み、複数のＲＦ回路８６４は、例えば複数のアンテナ素子にそれぞれ対応してもよい。なお、図１７には無線通信インタフェース８６３が複数のＲＦ回路８６４を含む例を示したが、無線通信インタフェース８６３は単一のＲＦ回路８６４を含んでもよい。
【０３０８】
図１７に示したｅＮＢ８３０において、図５を参照して説明した上位層処理部１０１、制御部１０３、受信部１０５及び／又は送信部１０７は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。換言すると、図１７に示したｅＮＢ８３０において、図１２を参照して説明した設定部１１０、選択部１２０及び／又はメッセージ送受信部１３０は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。例えば、無線通信インタフェース８５５、無線通信インタフェース８６３、コントローラ８５１及び／又はネットワークインタフェース８５３は、端末装置２００に第１の選択基準及び第２の選択基準を設定し、端末装置２００との間で２ステップＲＡＣＨプロシージャ又は４ステップＲＡＣＨプロシージャのメッセージを送受信する。例えば、無線通信インタフェース８５５及び／又は無線通信インタフェース８６３に含まれるプロセッサにおいて、これらの動作を行うための機能が実装されてもよい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８４０において実装されてもよい。
【０３０９】
＜端末装置に関する応用例＞
（第１の応用例）
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３１０】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３１１】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３１２】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１８に示したように複数のＢＢプロセッサ９１３及び複数のＲＦ回路９１４を含んでもよい。なお、図１８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３１３】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３１４】
アンテナスイッチ９１５の各々は、無線通信インタフェース９１２に含まれる複数の回路（例えば、異なる無線通信方式のための回路）の間でアンテナ９１６の接続先を切り替える。
【０３１５】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１８に示したように複数のアンテナ９１６を有してもよい。なお、図１８にはスマートフォン９００が複数のアンテナ９１６を有する例を示したが、スマートフォン９００は単一のアンテナ９１６を有してもよい。
【０３１６】
さらに、スマートフォン９００は、無線通信方式ごとにアンテナ９１６を備えてもよい。その場合に、アンテナスイッチ９１５は、スマートフォン９００の構成から省略されてもよい。
【０３１７】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０３１８】
図１８に示したスマートフォン９００において、図６を参照して説明した上位層処理部２０１、制御部２０３、受信部２０５及び／又は送信部２０７は、無線通信インタフェース９１２（例えば、ＲＦ回路９１４及び／又はＢＢプロセッサ９１３）、プロセッサ９０１、及び／又は補助コントローラ９１９において実装されてもよい。換言すると、図１８に示したスマートフォン９００において、図１３を参照して説明した選択部２１０及び／又はメッセージ送受信部２２０は、無線通信インタフェース９１２（例えば、ＲＦ回路９１４及び／又はＢＢプロセッサ９１３）、プロセッサ９０１、及び／又は補助コントローラ９１９において実装されてもよい。例えば、無線通信インタフェース９１２、プロセッサ９０１、及び／又は補助コントローラ９１９は、２ＲＡＣＨプロシージャ又は４ＲＡＣＨプロシージャのいずれを実行するか、及びメッセージフォーマットを選択し、選択結果に基づくＲＡＣＨプロシージャのメッセージを基地局装置１００との間で送受信する。例えば、無線通信インタフェース９１２に含まれるプロセッサにおいて、これらの動作を行うための機能が実装されてもよい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９１６において実装されてもよい。
【０３１９】
（第２の応用例）
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３２０】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３２１】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３２２】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３２３】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１９に示したように複数のＢＢプロセッサ９３４及び複数のＲＦ回路９３５を含んでもよい。なお、図１９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３２４】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３２５】
アンテナスイッチ９３６の各々は、無線通信インタフェース９３３に含まれる複数の回路（例えば、異なる無線通信方式のための回路）の間でアンテナ９３７の接続先を切り替える。
【０３２６】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１９に示したように複数のアンテナ９３７を有してもよい。なお、図１９にはカーナビゲーション装置９２０が複数のアンテナ９３７を有する例を示したが、カーナビゲーション装置９２０は単一のアンテナ９３７を有してもよい。
【０３２７】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３２８】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０３２９】
図１９に示したカーナビゲーション装置９２０において、図６を参照して説明した上位層処理部２０１、制御部２０３、受信部２０５及び／又は送信部２０７は、無線通信インタフェース９３３（例えば、ＲＦ回路９３５及び／又はＢＢプロセッサ９３４）及び／又はプロセッサ９２１において実装されてもよい。換言すると、図１９に示したカーナビゲーション装置９２０において、図１３を参照して説明した選択部２１０及び／又はメッセージ送受信部２２０は、無線通信インタフェース９３３（例えば、ＲＦ回路９３５及び／又はＢＢプロセッサ９３４）及び／又はプロセッサ９２１において実装されてもよい。例えば、無線通信インタフェース９３３及び／又はプロセッサ９２１は、２ＲＡＣＨプロシージャ又は４ＲＡＣＨプロシージャのいずれを実行するか、及びメッセージフォーマットを選択し、選択結果に基づくＲＡＣＨプロシージャのメッセージを基地局装置１００との間で送受信する。例えば、無線通信インタフェース９３３に含まれるプロセッサにおいて、これらの動作を行うための機能が実装されてもよい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９３７において実装されてもよい。
【０３３０】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３３１】
＜＜５．まとめ＞＞
以上、図１〜図１９を参照して、本開示の一実施形態について詳細に説明した。上記説明したように、本実施形態に係る端末装置２００は、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置１００に送信するかを選択する。即ち、端末装置２００は、２ステップＲＡＣＨプロシージャ又は４ステップＲＡＣＨプロシージャのいずれを実行するかを選択する。２ステップＲＡＣＨプロシージャは、４ステップＲＡＣＨプロシージャに比べてレイテンシーが小さい一方で、衝突解決が十分にできない等の影響で安定性に欠ける。一方で、４ステップＲＡＣＨプロシージャは十分な安定性を有する一方で、レイテンシーが大きい。端末装置２００は、２ステップＲＡＣＨプロシージャと４ステップＲＡＣＨプロシージャとを所定の選択基準に従って柔軟に切り替えながら併用することで、ＲＡＣＨプロシージャのレイテンシーの削減と安定性とを両立させることができる。
【０３３２】
また、本実施形態に係る基地局装置１００は、ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置２００が選択するための第１の選択基準を端末装置２００に設定する。基地局装置１００は、端末装置２００に、２ステップＲＡＣＨプロシージャと４ステップＲＡＣＨプロシージャとを適切に切り替えながら併用させることができる。
【０３３３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例又は修正例に想到し得ることは明らかであり、これらについても、当然に本開示の技術的範囲に属するものと了解される。
【０３３４】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０３３５】
また、本明細書に記載された効果は、あくまで説明的又は例示的なものであって限定的ではない。つまり、本開示に係る技術は、上記の効果とともに、又は上記の効果に代えて、本明細書の記載から当業者には明らかな他の効果を奏しうる。
【０３３６】
なお、以下のような構成も本開示の技術的範囲に属する。
（１）
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、
を備える端末装置。
（２）
前記選択部は、前記端末装置のＲＲＣ状態に基づいて、前記第１の上りリンクメッセージ又は前記第２の上りリンクメッセージのいずれを前記基地局装置に送信するかを選択する、前記（１）に記載の端末装置。
（３）
前記選択部は、前記端末装置のＲＲＣ状態がアイドルモードである場合に前記第２の上りリンクメッセージを選択し、前記端末装置のＲＲＣ状態が非アクティブモード又は接続モードである場合に前記第１の上りリンクメッセージを選択する、前記（２）に記載の端末装置。
（４）
前記選択部は、まず前記第１の上りリンクメッセージを選択し、２ステップＲＡＣＨプロシージャに失敗した場合に、前記第２の上りメッセージを選択する、前記（１）〜（３）のいずれか一項に記載の端末装置。
（５）
前記選択部は、前記第１の上りリンクメッセージの送信回数が所定の閾値を超えても２ステップＲＡＣＨプロシージャに失敗する場合に、前記第２の上りメッセージを選択する、前記（４）に記載の端末装置。
（６）
前記選択部は、前記第１の上りリンクメッセージに対応する２ステップＲＡＣＨプロシージャの第１の下りリンクメッセージを前記基地局装置から受信しないことを、前記２ステップＲＡＣＨプロシージャの失敗として認識する、前記（４）又は（５）に記載の端末装置。
（７）
前記選択部は、４ステップＲＡＣＨプロシージャへの切り替えを指示する情報を前記基地局装置から受信したことを、前記２ステップＲＡＣＨプロシージャの失敗として認識する、前記（４）〜（６）のいずれか一項に記載の端末装置。
（８）
前記選択部は、ＲＡＣＨプロシージャが行われるセルに基づいて、前記第１の上りリンクメッセージ又は前記第２の上りリンクメッセージのいずれを前記基地局装置に送信するか選択する、前記（１）〜（７）のいずれか一項に記載の端末装置。
（９）
前記選択部は、ＲＡＣＨプロシージャの用途に応じて、前記第１の上りリンクメッセージ又は前記第２の上りリンクメッセージのいずれを前記基地局装置に送信するかを選択する、前記（１）〜（８）のいずれか一項に記載の端末装置。
（１０）
前記選択部は、前記第１の上りリンクメッセージのフォーマットを選択する、前記（１）〜（９）のいずれか一項に記載の端末装置。
（１１）
前記第１の上りリンクメッセージに含まれる情報と前記第２の上りリンクメッセージに含まれる情報とは異なる、前記（１）〜（１０）のいずれか一項に記載の端末装置。
（１２）
前記第１の上りリンクメッセージのフォーマットと第２の上りリンクメッセージのフォーマットとは異なる、前記（１）〜（１１）のいずれか一項に記載の端末装置。
（１３）
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、
を備える基地局装置。
（１４）
前記設定部は、前記第１の上りリンクメッセージのフォーマットを前記端末装置が選択するための第２の選択基準を前記端末装置に設定する、前記（１３）に記載の基地局装置。
（１５）
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択すること、
を含むプロセッサにより実行される方法。
（１６）
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定すること、
を含むプロセッサにより実行される方法。
（１７）
コンピュータを、
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを基地局装置に送信するかを選択する選択部、
として機能させるためのプログラムが記録された記録媒体。
（１８）
コンピュータを、
ＲＡＣＨプロシージャにおいて、２ステップＲＡＣＨプロシージャの上りリンクメッセージである第１の上りリンクメッセージ又は４ステップＲＡＣＨプロシージャの上りリンクメッセージである第２の上りリンクメッセージのいずれを送信するかを端末装置が選択するための第１の選択基準を前記端末装置に設定する設定部、
として機能させるためのプログラムが記録された記録媒体。
【符号の説明】
【０３３７】
１００  基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
１１０    設定部
１２０    選択部
１３０    メッセージ送受信部
２００  端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
２１０    選択部
２２０    メッセージ送受信部
【図１】
2019064768.tif 000003
【図２】
2019064768.tif 000004
【図３】
2019064768.tif 000005
【図４】
2019064768.tif 000006
【図５】
2019064768.tif 000007
【図６】
2019064768.tif 000008
【図７】
2019064768.tif 000009
【図８】
2019064768.tif 000010
【図９】
2019064768.tif 000011
【図１０】
2019064768.tif 000012
【図１１】
2019064768.tif 000013
【図１２】
2019064768.tif 000014
【図１３】
2019064768.tif 000015
【図１４】
2019064768.tif 000016
【図１５】
2019064768.tif 000017
【図１６】
2019064768.tif 000018
【図１７】
2019064768.tif 000019
【図１８】
2019064768.tif 000020
【図１９】
2019064768.tif 000021
【国際調査報告】
2019064768.tif 000022
2019064768.tif 000023
2019064768.tif 000024
2019064768.tif 000025